(57)【要約】【課題】少ない冷媒循環量で冷房運転されるときでも除湿が行われる空気調和機を提供する。【解決手段】流路切換弁５１が、冷媒が流れる複数のパスを有する冷却用蒸発器の入口または出口に配置されたとき、第１通路２１を用いた第１形態では蒸発器全体で冷房を行うことができ、第２形態または第３形態では一部のパスにのみ冷媒を流し蒸発器として冷房を行うことができる。それゆえ、流路切換弁５１を備えた空気調和機では、冷房運転時に制御部８が流路切換弁５１を第２形態へ切り換えさせることによって、第１室内熱交換部４０ａ及び第２室内熱交換部４０ｂだけに冷媒を流すことができるので、室内熱交換器４０の一部だけが蒸発器となる。それゆえ、室内熱交換器４０の使用容量が小さくなり、室内熱交換器４０への送風量が変わらず室内熱交換器４０の容量が小さくなったときには、吸い込み空気は顕熱が多く奪われることなく除湿される。【選択図】図１
2012145318.tif 000002
【特許請求の範囲】
【請求項１】
流体の流れる経路を切り換える流路切換弁であって、
複数の流入口および流出口を有する本体（１０）と、
前記流入口と前記流出口とを連通させる可動体（２０）と、
を備え、
複数の前記流入口は少なくとも第１流入口（１１）および第２流入口（１２）を含み、
複数の前記流出口は少なくとも第１流出口（１３）および第２流出口（１４）を含み、
前記可動体（２０）は、前記本体（１０）内部で、
前記第１流入口（１１）及び／又は前記第２流入口（１２）を開閉する第１弁機構部（１０１）と、
前記第１流出口（１３）及び／又は前記第２流出口（１４）を開閉する第２弁機構部（１０２）と、
を形成し、
さらに、前記可動体（２０）は、
流体を、前記第１流入口（１１）及び前記第２流入口（１２）から前記第１弁機構部（１０１）へ流入させた後、前記第２弁機構部（１０２）から前記第１流出口（１３）及び前記第２流出口（１４）へ導く第１形態、及び、
流体を、前記第１流入口（１１）のみから前記第1弁機構部（１０１）へ流入させた後、前記第２弁機構部（１０２）から前記第１流出口（１３）のみへ導く第２形態、
のいずれかへの切り換えを行う、
流路切換弁（５１）。
【請求項２】
前記可動体（２０）は、
前記第１弁機構部（１０１）と前記第２弁機構部（１０２）とを連通させる第１通路（２１，２１ａ，２１ｂ）と、
前記第１弁機構部（１０１）と前記第２弁機構部（１０２）とを連通させ、前記第１通路（２１，２１ａ，２１ｂ）よりも通路断面積が小さい第２通路（２２，２２ａ，２２ｂ）と、
を有し、
前記第１形態への切り換えが行われるとき、前記第１通路（２１，２１ａ，２１ｂ）または前記第２通路（２２，２２ａ，２２ｂ）のいずれか一方が選択される、
請求項１に記載の流路切換弁（５１）。
【請求項３】
前記第１通路（２１）が選択された前記第１形態では、前記第１流入口（１１）および前記第２流入口（１２）から入った流体が第１通路（２１）で合流する、
請求項２に記載の流路切換弁（５１）。
【請求項４】
前記第２通路（２２）が選択された前記第１形態では、前記第１流入口（１１）および前記第２流入口（１２）から入った流体が第２通路（２２）で合流する、
請求項２に記載の流路切換弁（５１）。
【請求項５】
流体の流れる経路を切り換える流路切換弁であって、
複数の流入口および流出口を有する本体（１０）と、
前記流入口と前記流出口とを連通させる可動体（２０）と、
を備え、
複数の前記流入口は少なくとも第１流入口（１１）および第２流入口（１２）を含み、
複数の前記流出口は少なくとも第１流出口（１３）および第２流出口（１４）を含み、
前記可動体（２０）は、前記本体（１０）内部で、
前記第１流入口（１１）を開閉する第１弁機構部（１０１）と、
前記第１流出口（１３）及び／又は前記第２流出口（１４）を開閉する第２弁機構部（１０２）と、
を形成し、
さらに、前記可動体（２０）は、
流体を、前記第１流入口（１１）のみから前記第１弁機構部（１０１）へ流入させた後、前記第２弁機構部（１０２）から前記第１流出口（１３）及び前記第２流出口（１４）へ導く第１形態、及び、
流体を、前記第１流入口（１１）のみから前記第1弁機構部（１０１）へ流入させた後、前記第２弁機構部（１０２）から前記第１流出口（１３）のみへ導く第２形態、
のいずれかへの切り換えを行う、
流路切換弁（５１）。
【請求項６】
前記可動体（２０）は、
前記第１弁機構部（１０１）と前記第２弁機構部（１０２）とを連通させる第１通路（２１）と、
前記第１弁機構部（１０１）と前記第２弁機構部（１０２）とを連通させ、前記第１通路（２１ａ）よりも通路断面積が小さい第２通路（２２）と、
を有し、
前記第１形態への切り換えが行われるとき、前記第１通路（２１）または前記第２通路（２２）のいずれか一方が選択される、
請求項５に記載の流路切換弁（５１）。
【請求項７】
前記可動体（２０）は、
前記第２弁機構部（１０２）に流入する流体を前記第１流出口（１３）及び前記第２流出口（１４）の双方に導く共通空間と、
前記第１弁機構部（１０１）に流入する流体を前記第１流出口（１３）だけに導く第３通路（２３）と、
をさらに有し、
前記第１形態への切り換えが行われるとき、前記第１通路（２１）または前記第２通路（２１ｂ）のいずれか一方と前記共通空間とが選択され、
前記第２形態への切り換えが行われるとき、前記第３通路（２３）が選択される、
請求項６に記載の流路切換弁（５１）。
【請求項８】
圧縮機（５）、凝縮器、減圧器（７）、及び蒸発器の順で冷媒が循環する蒸気圧縮式冷凍サイクルを利用する空気調和機であって、
制御部（８）と、
暖房運転時には前記凝縮器となり、冷房運転時には前記蒸発器となる室内熱交換器（４０）と、
暖房運転時には前記蒸発器となり、冷房運転時には前記凝縮器となる室外熱交換器（４６）と、
を備え、
前記室内熱交換器（４０）は、
第１室内熱交換部（４０ａ）、及び前記第１室内熱交換部（４０ａ）と並列に接続される第２室内熱交換部（４０ｂ）を含む第１室内熱交換部群（４１）と、
第３室内熱交換部（４０ｃ）、及び前記第３室内熱交換部（４０ｃ）と並列に接続される第４室内熱交換部（４０ｄ）を含む第２室内熱交換部群（４２）と、
前記第１室内熱交換部群（４１）と前記第２室内熱交換部群（４２）との間に配置される、請求項１から請求項５のいずれか１項に記載の流路切換弁（５１）と、
を有し、
前記第１室内熱交換部（４０ａ）が前記第１流入口（１１）に、前記第２室内熱交換部（４０ｂ）が前記第２流入口（１２）に、前記第３室内熱交換部（４０ｃ）が前記第１流出口（１３）に、前記第４室内熱交換部（４０ｄ）が前記第２流出口（１４）に接続されており、
前記制御部（８）は、能力を抑制して冷房運転を行うとき、前記流路切換弁（５１）を前記第２形態へ切り換える、
空気調和機。
【請求項９】
圧縮機（５）、凝縮器、減圧器（７）、及び蒸発器の順で冷媒が循環する蒸気圧縮式冷凍サイクルを利用する空気調和機であって、
制御部（８）と、
暖房運転時には前記凝縮器となり、冷房運転時には前記蒸発器となる室内熱交換器（４０）と、
暖房運転時には前記蒸発器となり、冷房運転時には前記凝縮器となる室外熱交換器（４６）と、
を備え、
前記室内熱交換器（４０）は、
第２室内熱交換部（４０ｂ）を含む第１室内熱交換部群（４１）と、
第３室内熱交換部（４０ｃ）、及び前記第３室内熱交換部（４０ｃ）と並列に接続される第４室内熱交換部（４０ｄ）を含む第２室内熱交換部群（４２）と、
前記第１室内熱交換部群（４１）と前記第２室内熱交換部群（４２）との間に配置される、請求項１から請求項７のいずれか１項に記載の流路切換弁（５１）と、
を有し、
前記減圧器（７）及び前記室内熱交換器（４０）を結ぶ配管と前記流路切換弁（５１）とはバイパス路（６１）によって結ばれ、
前記バイパス路（６１）が前記第１流入口（１１）に、前記第２室内熱交換部（４０ｂ）が第２流入口（１２）に、前記第３室内熱交換部（４０ｃ）が前記第１流出口（１３）に、前記第４室内熱交換部（４０ｄ）が前記第２流出口（１４）に接続されており、
前記制御部（８）は、能力を抑制して冷房運転を行うとき、前記流路切換弁（５１）を、前記第２形態へ切り換える、
空気調和機。
【請求項１０】
圧縮機（５）、四路切換弁（２）、凝縮器、減圧器（７）、及び蒸発器の順で冷媒が循環する蒸気圧縮式冷凍サイクルを利用する空気調和機であって、
制御部（８）と、
暖房運転時には前記凝縮器となり、冷房運転時には前記蒸発器となる室内熱交換器（４０）と、
暖房運転時には前記蒸発器となり、冷房運転時には前記凝縮器となる室外熱交換器（４６）と、
を備え、
前記室内熱交換器（４０）は、
第１室内熱交換部（４０ａ）、及び前記第１室内熱交換部（４０ａ）と並列に接続される第２室内熱交換部（４０ｂ）を含む第１室内熱交換部群（４１）と、
第４室内熱交換部（４０ｄ）を含む第２室内熱交換部群（４２）と、
前記第１室内熱交換部群（４１）と前記第２室内熱交換部群（４２）との間に配置される、請求項１から請求項７のいずれか１項に記載の流路切換弁（５１）と、
を有し、
前記四路切換弁（２）及び前記室内熱交換器（４０）を結ぶ配管と前記流路切換弁（５１）とはバイパス路（７１）によって結ばれ、
前記第１室内熱交換部（４０ａ）が前記第１流出口（１３）に、前記第２室内熱交換部（４０ｂ）が前記第２流出口（１４）に、前記バイパス路（７１）が前記第１流入口（１１）に、前記第４室内熱交換部（４０ｄ）が前記第２流入口（１２）に接続されており、
前記制御部（８）は、能力を抑制して冷房運転を行うとき、前記流路切換弁（５１）を、前記第２形態へ切り換える、
空気調和機。
【請求項１１】
圧縮機（５）、凝縮器、減圧器（７）、及び蒸発器の順で冷媒が循環する蒸気圧縮式冷凍サイクルを利用する空気調和機であって、
制御部（８）と、
暖房運転時には前記凝縮器となり、冷房運転時には前記蒸発器となる室内熱交換器（４０）と、
暖房運転時には前記蒸発器となり、冷房運転時には前記凝縮器となる室外熱交換器（４６）と、
を備え、
前記室内熱交換器（４０）は、
第１室内熱交換部（４０ａ）、及び前記第１室内熱交換部（４０ａ）と並列に接続される第２室内熱交換部（４０ｂ）を含む第１室内熱交換部群（４１）と、
第３室内熱交換部（４０ｃ）、及び前記第３室内熱交換部（４０ｃ）と並列に接続される第４室内熱交換部（４０ｄ）を含む第２室内熱交換部群（４２）と、
前記第１室内熱交換部群（４１）と前記第２室内熱交換部群（４２）との間に配置される、請求項２から請求項４のいずれか１項に記載の流路切換弁（５１）と、
を有し、
前記第１室内熱交換部（４０ａ）が前記第１流入口（１１）に、前記第２室内熱交換部（４０ｂ）が前記第２流入口（１２）に、前記第３室内熱交換部（４０ｃ）が前記第１流出口（１３）に、前記第４室内熱交換部（４０ｄ）が前記第２流出口（１４）に接続されており、
前記制御部（８）は、再熱除湿運転を行うときは、前記流路切換弁（５１）を、前記第２通路を用いた第１形態へ切り換える、
空気調和機。
【請求項１２】
圧縮機（５）、凝縮器、減圧器（７）、及び蒸発器の順で冷媒が循環する蒸気圧縮式冷凍サイクルを利用する空気調和機であって、
制御部（８）と、
暖房運転時には前記凝縮器となり、冷房運転時には前記蒸発器となる室内熱交換器（４０）と、
暖房運転時には前記蒸発器となり、冷房運転時には前記凝縮器となる室外熱交換器（４６）と、
を備え、
前記室内熱交換器（４０）は、
第１室内熱交換部（４０ａ）を含む第１室内熱交換部群（４１）と、
第３室内熱交換部（４０ｃ）、及び前記第３室内熱交換部（４０ｃ）と並列に接続される第４室内熱交換部（４０ｄ）を含む第２室内熱交換部群（４２）と、
前記第１室内熱交換部群（４１）と前記第２室内熱交換部群（４２）との間に配置される、請求項６又は請求項７に記載の流路切換弁（５１）と、
を有し、
前記減圧器（７）及び前記室内熱交換器（４０）を結ぶ配管と前記流路切換弁（５１）とはバイパス路（６１）によって結ばれ、
前記第１室内熱交換部（４０ａ）が前記第１流入口（１１）に、前記バイパス路（６１）が前記第２流入口（１２）に、前記第３室内熱交換部（４０ｃ）が前記第１流出口（１３）に、前記第４室内熱交換部（４０ｄ）が前記第２流出口（１４）に接続されており、
前記制御部（８）は、再熱除湿運転を行うときは、前記流路切換弁（５１）を、前記第２通路を用いた第１形態へ切り換える、
空気調和機。
【請求項１３】
圧縮機（５）、四路切換弁（２）、凝縮器、減圧器（７）、及び蒸発器の順で冷媒が循環する蒸気圧縮式冷凍サイクルを利用する空気調和機であって、
制御部（８）と、
暖房運転時には前記凝縮器となり、冷房運転時には前記蒸発器となる室内熱交換器（４０）と、
暖房運転時には前記蒸発器となり、冷房運転時には前記凝縮器となる室外熱交換器（４６）と、
を備え、
前記室内熱交換器（４０）は、
第１室内熱交換部（４０ａ）、及び前記第１室内熱交換部（４０ａ）と並列に接続される第２室内熱交換部（４０ｂ）を含む第１室内熱交換部群（４１）と、
第３室内熱交換部（４０ｃ）を含む第２室内熱交換部群（４２）と、
前記第１室内熱交換部群（４１）と前記第２室内熱交換部群（４２）との間に配置される、請求項６又は請求項７に記載の流路切換弁（５１）と、
を有し、
前記四路切換弁（２）及び前記室内熱交換器（４０）を結ぶ配管と前記流路切換弁（５１）とはバイパス路（７１）によって結ばれ、
前記第１室内熱交換部（４０ａ）が前記第１流出口（１３）に、前記第２室内熱交換部（４０ｂ）が前記第２流出口（１４）に、前記第３室内熱交換部（４０ｃ）が前記第１流入口（１１）に、前記バイパス路（７１）が前記第２流入口（１２）に接続されており、
前記制御部（８）は、再熱除湿運転を行うときは、前記流路切換弁（５１）を、前記第２通路を用いた第１形態へ切り換える、
空気調和機。
【請求項１４】
圧縮機（５）、凝縮器、減圧器（７）、及び蒸発器の順で冷媒が循環する蒸気圧縮式冷凍サイクルを利用する空気調和機であって、
制御部（８）と、
暖房運転時には前記凝縮器となり、冷房運転時には前記蒸発器となる室内熱交換器（４０）と、
暖房運転時には前記蒸発器となり、冷房運転時には前記凝縮器となる室外熱交換器（４６）と、
を備え、
前記室内熱交換器（４０）は、
第１室内熱交換部（４０ａ）を含む第１室内熱交換部群（４１）と、
第３室内熱交換部（４０ｃ）、及び前記第３室内熱交換部（４０ｃ）と並列に接続される第４室内熱交換部（４０ｄ）を含む第２室内熱交換部群（４２）と、
前記第１室内熱交換部群（４１）と前記第２室内熱交換部群（４２）との間に配置される、請求項１から請求項７のいずれか１項に記載の流路切換弁（５１）と、
を有し、
前記減圧器（７）及び前記室内熱交換器（４０）を結ぶ配管と前記流路切換弁（５１）とはバイパス路（６１）によって結ばれ、
前記第１室内熱交換部（４０ａ）が前記第１流入口（１１）に、前記バイパス路（６１）が前記第２流入口（１２）に、前記第３室内熱交換部（４０ｃ）が前記第１流出口（１３）に、前記第４室内熱交換部（４０ｄ）が前記第２流出口（１４）に接続されており、
前記制御部（８）は、能力を抑制して冷房運転を行うとき、前記流路切換弁（５１）を前記第２形態へ切り換える、
空気調和機。
【請求項１５】
圧縮機（５）、四路切換弁（２）、凝縮器、減圧器（７）、及び蒸発器の順で冷媒が循環する蒸気圧縮式冷凍サイクルを利用する空気調和機であって、
制御部（８）と、
暖房運転時には前記凝縮器となり、冷房運転時には前記蒸発器となる室内熱交換器（４０）と、
暖房運転時には前記蒸発器となり、冷房運転時には前記凝縮器となる室外熱交換器（４６）と、
を備え、
前記室内熱交換器（４０）は、
第１室内熱交換部（４０ａ）、及び前記第１室内熱交換部（４０ａ）と並列に接続される第２室内熱交換部（４０ｂ）を含む第１室内熱交換部群（４１）と、
第３室内熱交換部（４０ｃ）を含む第２室内熱交換部群（４２）と、
前記第１室内熱交換部群（４１）と前記第２室内熱交換部群（４２）との間に配置される、請求項１から請求項７のいずれか１項に記載の流路切換弁（５１）と、
を有し、
前記四路切換弁（２）及び前記室内熱交換器（４０）を結ぶ配管と前記流路切換弁（５１）とはバイパス路（７１）によって結ばれ、
前記第１室内熱交換部（４０ａ）が前記第１流出口（１３）に、前記第２室内熱交換部（４０ｂ）が前記第２流出口（１４）に、前記第３室内熱交換部（４０ｃ）が前記第１流入口（１１）に、前記バイパス路（７１）が前記第２流入口（１２）に接続されており、
前記制御部（８）は、能力を抑制して冷房運転を行うとき、前記流路切換弁（５１）を前記第２形態へ切り換える、
空気調和機。
【発明の詳細な説明】
【技術分野】
【０００１】
本発明は、流体の流通路を切り換え、或は、流体を多方向に分配する流路切換弁に関する。
【背景技術】
【０００２】
容量可変型の圧縮機を搭載した空気調和機の冷房運転において、空調負荷が小さいときは空気調和機の能力は小さくてもよいので、少ない冷媒循環量で運転されるように圧縮機回転数が制御されることが好ましい。但し、少ない冷媒循環量で運転される場合、室内熱交換器に入った冷媒は直ぐに蒸発してその蒸発温度が吸い込み空気の露点温度に到達しないため、吸い込み空気の顕熱は奪われるが潜熱は奪われず、除湿が行われない。このような問題点を克服するため、特許文献１（特開２００３−１４８８３０号公報）に開示されている空気調和機では、冷房負荷および除湿負荷の大きさに対応して、室内熱交換器のうちの複数の熱交換部から、蒸発器として機能する熱交換部の数量が選択されるようになっている。
【発明の概要】
【発明が解決しようとする課題】
【０００３】
しかしながら、特許文献１に記載の空気調和機は、蒸発器として機能する熱交換部を選択するために、熱交換部間に少なくとも開閉弁と膨張弁とが必要であり、コスト増大の要因となっている。
【０００４】
本発明の課題は、少ない冷媒循環量で冷房運転されるときでも除湿が行われる空気調和機を低コストで実現する流路切換弁を提供することにある。
【課題を解決するための手段】
【０００５】
本発明の第１観点に係る流路切換弁は、流体の流れる経路を切り換える流路切換弁であって、複数の流入口および流出口を有する本体と、流入口と流出口とを連通させる可動体とを備えている。複数の流入口は少なくとも第１流入口および第２流入口を含む。複数の流出口は少なくとも第１流出口および第２流出口を含む。可動体は、本体内部で第１弁機構部と第２弁機構部とを形成する。第１弁機構部は、第１流入口及び／又は第２流入口を開閉する。第２弁機構部は、第１流出口及び／又は第２流出口を開閉する。さらに、可動体は、第１形態、及び第２形態のいずれかへの切り換えを行う。第１形態は、流体を、第１流入口及び第２流入口から第１弁機構部へ流入させた後、第２弁機構部から第１流出口及び第２流出口へ導く形態である。第２形態は、流体を、第１流入口のみから第1弁機構部へ流入させた後、第２弁機構部から第１流出口のみへ導く形態である。
【０００６】
この流路切換弁では、例えば、冷媒が流れる複数のパスを有する冷却用蒸発器の入口または出口に流路切換弁を配置したとき、第１形態では蒸発器全体で冷房を行うことができ、第２形態では一部のパスにのみ冷媒を流し蒸発器として冷房を行うことができる。
【０００７】
本発明の第２観点に係る流路切換弁は、第１観点に係る流路切換弁であって、可動体が、第１通路と第２通路とを有している。第１通路は、第１弁機構部と第２弁機構部とを連通させる。第２通路は、第１弁機構部と第２弁機構部とを連通させ、第１通路よりも通路断面積が小さい。第１形態への切り換えが行われるとき、第１通路または第２通路のいずれか一方が選択される。
【０００８】
この流路切換弁では、例えば、冷媒が流れる２つの直列配置のパスの間に流路切換弁を配置したとき、流路切換弁が第２通路を用いた第１形態に切り換わることによって、流路切換弁の上流側のパスを凝縮器として、下流側のパスを蒸発器として利用することが可能になる。
【０００９】
本発明の第３観点に係る流路切換弁は、第２観点に係る流路切換弁であって、第１通路が選択された第１形態では、第１流入口および第２流入口から入った流体が第１通路で合流する。
【００１０】
この流路切換弁では、例えば、第１流入口および第２流入口それぞれに冷媒が流れるパスが接続され、第１流出口および第２流出口それぞれにも冷媒が流れるパスが接続されるとき、第１流入口および第２流入口それぞれから流入する冷媒は、一旦、第１通路で合流してから第１流出口および第２流出口それぞれへ分流される。
【００１１】
その結果、第１流入口および第２流入口それぞれから流入する冷媒に偏流が生じている場合でも、第１通路でその偏流が解消され、第１流出口および第２流出口それぞれへほぼ均等に分流される機会が与えられる。
【００１２】
本発明の第４観点に係る流路切換弁は、第２観点に係る切換弁であって、第２通路が選択された第１形態では、第１流入口および第２流入口から入った流体が第２通路で合流する。
【００１３】
この流路切換弁では、例えば、第１流入口および第２流入口それぞれに冷媒が流れるパスが接続され、第１流出口および第２流出口それぞれにも冷媒が流れるパスが接続されるとき、第１流入口および第２流入口それぞれから流入する冷媒は、一旦、第２通路で合流して減圧されてから第１流出口および第２流出口それぞれへ分流される。
【００１４】
その結果、第１流入口および第２流入口それぞれから流入する冷媒に偏流が生じている場合でも、第２通路でその偏流が解消され且つ減圧されて、第１流出口および第２流出口それぞれへほぼ均等に分流される機会が与えられる。
【００１５】
本発明の第５観点に係る流路切換弁は、流体の流れる経路を切り換える流路切換弁であって、複数の流入口および流出口を有する本体と、流入口と流出口とを連通させる可動体とを備えている。複数の流入口は少なくとも第１流入口および第２流入口を含む。複数の流出口は少なくとも第１流出口および第２流出口を含む。可動体は、本体内部で、第１弁機構部と第２弁機構部とを形成する。第１弁機構部は、第１流入口を開閉する。第２弁機構部は、第１流出口及び／又は第２流出口を開閉する。さらに、可動体は第１形態、及び第２形態のいずれかへの切換を行う。第１形態は、流体を、第１流入口のみから第１弁機構部へ流入させた後、第２弁機構部から第１流出口及び第２流出口へ導く形態である。第２形態は、流体を、第１流入口のみから第1弁機構部へ流入させた後、第２弁機構部から第１流出口のみへ導く形態である。
【００１６】
この流路切換弁では、例えば、冷媒が流れる複数のパスを有する冷却用蒸発器の入口または出口に流路切換弁を配置したとき、第１形態では蒸発器全体で冷房を行うことができ、第２形態では一部のパスにのみ冷媒を流し蒸発器として冷房を行うことができる。
【００１７】
本発明の第６観点に係る流路切換弁は、第５観点に係る流路切換弁であって、可動体が第１通路と第２通路とを有している。第１通路は、第１弁機構部と第２弁機構部とを連通させる。第２通路は、第１弁機構部と第２弁機構部とを連通させ、第１通路よりも通路断面積が小さい。第１形態への切り換えが行われるとき、第１通路または第２通路のいずれか一方が選択される。
【００１８】
この流路切換弁では、例えば、冷媒が流れる２つの直列配置のパスの間に流路切換弁を配置したとき、流路切換弁が第２通路を用いた第１形態に切り換わることによって、流路切換弁の上流側のパスを凝縮器として、下流側のパスを蒸発器として利用することが可能になる。
【００１９】
本発明の第７観点に係る流路切換弁は、第６観点に係る流路切換弁であって、可動体が、共通空間と第３通路とをさらに有する。共通空間は、第２弁機構部に流入する流体を第１流出口及び第２流出口の双方に導く。第３通路は、第１弁機構部に流入する流体を第１流出口だけに導く。第１形態への切り換えが行われるとき、第１通路または第２通路のいずれか一方と共通空間とが選択される。第２形態への切り換えが行われるとき、第３通路が選択される。
【００２０】
この流路切換弁では、例えば、第１流入口に冷媒が流れるパスが接続され、第１流出口および第２流出口それぞれにも冷媒が流れるパスが接続されるとき、第１流入口から流入する冷媒は、共通空間から第１流出口および第２流出口それぞれへ分流される。その結果、冷媒は、第１流出口および第２流出口それぞれへほぼ均等に分流される機会が与えられる。
【００２１】
本発明の第８観点に係る空気調和機は、圧縮機、凝縮器、減圧器、及び蒸発器の順で冷媒が循環する蒸気圧縮式冷凍サイクルを利用する空気調和機であって、制御部と、室内熱交換器と、室外熱交換器とを備える。室内熱交換器は、暖房運転時には凝縮器となり、冷房運転時には蒸発器となる。室外熱交換器は、暖房運転時には蒸発器となり、冷房運転時には凝縮器となる。また、室内熱交換器は、第１室内熱交換器群と、第２室内熱交換器群と、第１観点から第５観点のいずれか１つに係る流路切換弁とを有している。第１室内熱交換部群は、第１室内熱交換部、及びその第１室内熱交換部と並列に接続される第２室内熱交換部を含む。第２室内熱交換部群は、第３室内熱交換部、及びその第３室内熱交換部と並列に接続される第４室内熱交換部を含む。流路切換弁は、第１室内熱交換部群と第２室内熱交換部群との間に配置される。また、第１室内熱交換部は第１流入口に、第２室内熱交換部は第２流入口に、第３室内熱交換部は第１流出口に、第４室内熱交換部は第２流出口に接続されている。制御部は、能力を抑制して冷房運転を行うとき、流路切換弁を第２形態へ切り換える。
【００２２】
この空気調和機では、冷房運転時に制御部が流路切換弁を第２形態へ切り換えさせることによって、例えば、第１室内熱交換部及び第３室内熱交換部だけに冷媒を流すことができるので、室内熱交換器の一部だけが蒸発器となる。これによって、室内熱交換器の使用容量が小さくなり、冷媒が直ぐに蒸発することが抑制される。また、室内熱交換器の使用容量が小さくなったことによって蒸発圧力が下がり、蒸発温度も下がるので、除湿が行われる。特に、室内熱交換器全体への送風量が変わらず、冷媒を流す室内熱交換器の容量が小さくなったときには、吸い込み空気は顕熱が多く奪われることなく除湿される。
【００２３】
本発明の第９観点に係る空気調和機は、圧縮機、凝縮器、減圧器、及び蒸発器の順で冷媒が循環する蒸気圧縮式冷凍サイクルを利用する空気調和機であって、制御部と、室内熱交換器と、室外熱交換器とを備える。室内熱交換器は、暖房運転時には凝縮器となり、冷房運転時には蒸発器となる。室外熱交換器は、暖房運転時には蒸発器となり、冷房運転時には凝縮器となる。また、室内熱交換器は、第１室内熱交換部群と、第２室内熱交換部群と、第１観点から第７観点のいずれか１つに係る流路切換弁とを有している。第１室内熱交換部群は、第２室内熱交換部を含む。第２室内熱交換部群は、第３室内熱交換部、及びその第３室内熱交換部と並列に接続される第４室内熱交換部を含む。流路切換弁は、第１室内熱交換部群と第２室内熱交換部群との間に配置される。減圧器および室内熱交換器を結ぶ配管と流路切換弁とはバイパス路によって結ばれている。また、バイパス路は第１流入口に、第２室内熱交換部は第２流入口に、第３室内熱交換部は第１流出口に、第４室内熱交換部は第２流出口に接続されている。制御部は、能力を抑制して冷房運転を行うとき、流路切換弁を、第２形態へ切り換える。
【００２４】
この空気調和機では、バイパス路から第１流入口に入った冷媒を第１流出口から第３熱交換部へ流して室内熱交換器の使用容量を小さくすることによって、冷媒が直ぐに蒸発することが抑制される。また、室内熱交換器の使用容量が小さくなったことによって蒸発圧力が下がり、蒸発温度も下がるので、除湿することが可能となる。そうすると、室内熱交換器全体への送風量が変わらず、冷媒を流す室内熱交換器の容量が小さくなるので、吸い込み空気は顕熱が多く奪われることなく除湿される。
【００２５】
本発明の第１０観点に係る空気調和機は、圧縮機、四路切換弁、凝縮器、減圧器、及び蒸発器の順で冷媒が循環する蒸気圧縮式冷凍サイクルを利用する空気調和機であって、制御部と、室内熱交換器と、室外熱交換器とを備えている。室内熱交換器は、暖房運転時には凝縮器となり、冷房運転時には蒸発器となる。室外熱交換器は、暖房運転時には蒸発器となり、冷房運転時には凝縮器となる。また、室内熱交換器は、第１室内熱交換部群と、第２室内熱交換部群と、第１観点から第７観点のいずれか１つに係る流路切換弁とを有している。第１室内熱交換部群は、第１室内熱交換部、及びその第１室内熱交換部と並列に接続される第２室内熱交換部を含む。第２室内熱交換部群は、第４室内熱交換部を含む。流路切換弁は、第１室内熱交換部群と第２室内熱交換部群との間に配置される。四路切換弁および室内熱交換器を結ぶ配管と流路切換弁とはバイパス路によって結ばれている。また、第１室内熱交換部は第１流出口に、第２室内熱交換部は第２流出口に、バイパス路は第１流入口に、第４室内熱交換部は第２流入口に接続されている。制御部は、能力を抑制して冷房運転を行うとき、流路切換弁を第２形態へ切り換える。
【００２６】
この空気調和機では、第１流出口および第２流出口を流入口として、第１流入口を流出口として利用することができる。また、第１室内熱交換部から第１流出口に入った冷媒を第１流入口からバイパス路へ流して室内熱交換器の使用容量を小さくすることによって、冷媒が直ぐに蒸発することが抑制される。さらに、室内熱交換器の使用容量が小さくなったことによって蒸発圧力が下がり、蒸発温度も下がるので、除湿することが可能となる。そうすると、室内熱交換器全体への送風量が変わらず、冷媒を流す室内熱交換器の容量が小さくなるので、吸い込み空気は顕熱が多く奪われることなく除湿される。
【００２７】
本発明の第１１観点に係る空気調和機は、圧縮機、凝縮器、減圧器、及び蒸発器の順で冷媒が循環する蒸気圧縮式冷凍サイクルを利用する空気調和機であって、制御部と、室内熱交換器と、室外熱交換器とを備えている。室内熱交換器は、暖房運転時には凝縮器となり、冷房運転時には蒸発器となる。室外熱交換器は、暖房運転時には蒸発器となり、冷房運転時には凝縮器となる。また、室内熱交換器は、第１室内熱交換部群と、第２室内熱交換部群と、第２観点から第４観点のいずれか１つに係る流路切換弁とを有している。第１室内熱交換部群は、第１室内熱交換部、及びその第１室内熱交換部と並列に接続される第２室内熱交換部を含む。第２室内熱交換部群は、第３室内熱交換部、及びその第３室内熱交換部と並列に接続される第４室内熱交換部を含む。流路切換弁は、第１室内熱交換部群と第２室内熱交換部群との間に配置される。また、第１室内熱交換部は第１流入口に、第２室内熱交換部は第２流入口に、第３室内熱交換部は第１流出口に、第４室内熱交換部は第２流出口に接続されている。制御部は、再熱除湿運転を行うときは、流路切換弁を、第２通路を用いた第１形態へ切り換える。
【００２８】
この空気調和機では、制御部が、流路切換弁を、第２通路を用いた第１形態へ切り換えることによって冷媒が減圧され、第１室内熱交換部群が凝縮器になり、第２室内熱交換部群が蒸発器になる。つまり、流路切換弁は再熱除湿運転時の膨張弁としての機能をも有する。
【００２９】
本発明の第１２観点に係る空気調和機は、圧縮機、凝縮器、減圧器、及び蒸発器の順で冷媒が循環する蒸気圧縮式冷凍サイクルを利用する空気調和機であって、制御部と、室内熱交換器と、室外熱交換器とを備えている。室内熱交換器は、暖房運転時には凝縮器となり、冷房運転時には蒸発器となる。室外熱交換器は、暖房運転時には蒸発器となり、冷房運転時には凝縮器となる。また、室内熱交換器は、第１室内熱交換部群と、第２室内熱交換部群と、第６観点又は第７観点に係る流路切換弁とを有している。第１室内熱交換部群は、第１室内熱交換部を含む。第２室内熱交換部群は、第３室内熱交換部、及びその第３室内熱交換部と並列に接続される第４室内熱交換部を含む。流路切換弁は、第１室内熱交換部群と第２室内熱交換部群との間に配置される。減圧器および室内熱交換器を結ぶ配管と流路切換弁とはバイパス路によって結ばれている。また、第１室内熱交換部は第１流入口に、バイパス路は第２流入口に、第３室内熱交換部は第１流出口に、第４室内熱交換部は第２流出口に接続されている。制御部は、再熱除湿運転を行うときは、流路切換弁を、第２通路を用いた第１形態へ切り換える。
【００３０】
この空気調和機では、制御部が、流路切換弁を、第２通路を用いた第１形態へ切り換えることによって冷媒が減圧され、第１室内熱交換部群が凝縮器になり、第２室内熱交換部群が蒸発器になる。つまり、流路切換弁は再熱除湿運転時の膨張弁としての機能をも有する。
【００３１】
本発明の第１３観点に係る空気調和機は、圧縮機、四路切換弁、凝縮器、減圧器、及び蒸発器の順で冷媒が循環する蒸気圧縮式冷凍サイクルを利用する空気調和機であって、制御部と、室内熱交換器と、室外熱交換器とを備えている。室内熱交換器は、暖房運転時には凝縮器となり、冷房運転時には蒸発器となる。室外熱交換器は、暖房運転時には蒸発器となり、冷房運転時には凝縮器となる。また、室内熱交換器は、第１室内熱交換部群と、第２室内熱交換部群と、第６観点又は第７観点に係る流路切換弁とを有している。第１室内熱交換部群は、第１室内熱交換部、及びその第１室内熱交換部と並列に接続される第２室内熱交換部を含む。第２室内熱交換部群は、第３室内熱交換部を含む。流路切換弁は、第１室内熱交換部群と第２室内熱交換部群との間に配置される。四路切換弁および室内熱交換器を結ぶ配管と流路切換弁とはバイパス路によって結ばれている。また、第１室内熱交換部は第１流出口に、第２室内熱交換部は第２流出口に、第３室内熱交換部は第１流入口に、バイパス路は第２流入口に接続されている。制御部は、再熱除湿運転を行うときは、流路切換弁を、第２通路を用いた第１形態へ切り換える。
【００３２】
この空気調和機では、第１流出口および第２流出口を流入口として、第１流入口を流出口として利用することによって、再熱除湿運転時、２つの凝縮器からの冷媒を減圧して、１つに蒸発器へ送る構成が可能となる。
【００３３】
本発明の第１４観点に係る空気調和機は、圧縮機、凝縮器、減圧器、及び蒸発器の順で冷媒が循環する蒸気圧縮式冷凍サイクルを利用する空気調和機であって、制御部と、室内熱交換器と、室外熱交換器とを備えている。室内熱交換器は、暖房運転時には凝縮器となり、冷房運転時には蒸発器となる。室外熱交換器は、暖房運転時には蒸発器となり、冷房運転時には凝縮器となる。また、室内熱交換器は、第１室内熱交換部群と、第２室内熱交換部群と、第１観点から第７観点のいずれか１つに係る流路切換弁とを有している。第１室内熱交換部群は、第１室内熱交換部を含む。第２室内熱交換部群は、第３室内熱交換部、及びその第３室内熱交換部と並列に接続される第４室内熱交換部を含む。流路切換弁は、第１室内熱交換部群と第２室内熱交換部群との間に配置される。減圧器および室内熱交換器を結ぶ配管と流路切換弁とはバイパス路によって結ばれている。また、第１室内熱交換部は第１流入口に、バイパス路は第２流入口に、第３室内熱交換部は第１流出口に、第４室内熱交換部は第２流出口に接続されている。制御部は、能力を抑制して冷房運転を行うとき、流路切換弁を第２形態へ切り換える。
【００３４】
この空気調和機では、冷房運転時に制御部が流路切換弁を第２形態へ切り換えさせることによって、例えば、第１室内熱交換部及び第３室内熱交換部だけに冷媒を流すことができるので、室内熱交換器の一部だけが蒸発器となる。これによって、室内熱交換器の使用容量が小さくなり、冷媒が直ぐに蒸発することが抑制される。また、室内熱交換器の使用容量が小さくなったことによって蒸発圧力が下がり、蒸発温度も下がるので、除湿が行われる。特に、室内熱交換器全体への送風量が変わらず、冷媒を流す室内熱交換器の容量が小さくなったときには、吸い込み空気は顕熱が多く奪われることなく除湿される。
【００３５】
本発明の第１５観点に係る空気調和機は、圧縮機、四路切換弁、凝縮器、減圧器、及び蒸発器の順で冷媒が循環する蒸気圧縮式冷凍サイクルを利用する空気調和機であって、制御部と、室内熱交換器と、室外熱交換器とを備えている。室内熱交換器は、暖房運転時には凝縮器となり、冷房運転時には蒸発器となる。室外熱交換器は、暖房運転時には蒸発器となり、冷房運転時には凝縮器となる。また、室内熱交換器は、第１室内熱交換部群と、第２室内熱交換部群と、第１観点から第７観点のいずれか１つに係る流路切換弁とを有している。第１室内熱交換部群は、第１室内熱交換部、及びその第１室内熱交換部と並列に接続される第２室内熱交換部を含む。第２室内熱交換部群は、第３室内熱交換部を含む。流路切換弁は、第１室内熱交換部群と第２室内熱交換部群との間に配置される。四路切換弁および室内熱交換器を結ぶ配管と流路切換弁とはバイパス路によって結ばれている。また、第１室内熱交換部は第１流出口に、第２室内熱交換部は第２流出口に、第３室内熱交換部は第１流入口に、バイパス路は第２流入口に接続されている。制御部は、能力を抑制して冷房運転を行うとき、流路切換弁を第２形態へ切り換える。
【００３６】
この空気調和機では、冷房運転時に制御部が流路切換弁を第２形態へ切り換えさせることによって、例えば、第１室内熱交換部及び第３室内熱交換部だけに冷媒を流すことができるので、室内熱交換器の一部だけが蒸発器となる。これによって、室内熱交換器の使用容量が小さくなり、冷媒が直ぐに蒸発することが抑制される。また、室内熱交換器の使用容量が小さくなったことによって蒸発圧力が下がり、蒸発温度も下がるので、除湿が行われる。特に、室内熱交換器全体への送風量が変わらず、冷媒を流す室内熱交換器の容量が小さくなったときには、吸い込み空気は顕熱が多く奪われることなく除湿される。
【発明の効果】
【００３７】
本発明の第１観点または第５観点に係る流路切換弁では、冷媒が流れる複数のパスを有する冷却用蒸発器の入口または出口に流路切換弁を配置したとき、第１形態では蒸発器全体で冷房を行うことができ、第２形態では一部のパスにのみ冷媒を流し蒸発器として冷房を行うことができる。
【００３８】
本発明の第２観点または第６観点に係る流路切換弁では、冷媒が流れる２つの直列配置のパスの間に流路切換弁を配置したとき、流路切換弁が第２通路を用いた第１形態に切り換わることによって、流路切換弁の上流側のパスを凝縮器として、下流側のパスを蒸発器として利用することが可能になる。
【００３９】
本発明の第３観点または第７観点に係る流路切換弁では、冷媒は、第１流出口および第２流出口それぞれへほぼ均等に分流される機会が与えられる。
【００４０】
本発明の第４観点に係る流路切換弁では、第１流入口および第２流入口それぞれから流入する冷媒に偏流が生じている場合でも、第２通路でその偏流が解消され且つ減圧されて、第１流出口および第２流出口それぞれへほぼ均等に分流される機会が与えられる。
【００４１】
本発明の第８観点、第９観点および第１０観点のいずれか１つに係る空気調和機では、室内熱交換器の使用容量を小さくすることによって、冷媒が直ぐに蒸発することが抑制される。また、室内熱交換器の使用容量が小さくなることによって蒸発圧力が下がり、蒸発温度も下がるので、除湿することが可能となる。そうすると、室内熱交換器全体への送風量が変わらず、冷媒を流す室内熱交換器の容量が小さくなるので、吸い込み空気は顕熱が多く奪われることなく除湿される。
【００４２】
本発明の第１１観点または第１２観点に係る空気調和機では、制御部が、流路切換弁を、第２通路を用いた第１形態へ切り換えることによって冷媒が減圧され、第１室内熱交換部群が凝縮器になり、第２室内熱交換部群が蒸発器になる。つまり、流路切換弁は再熱除湿運転時の膨張弁としての機能をも有する。
【００４３】
本発明の第１３観点に係る空気調和機では、第１流出口および第２流出口を流入口として、第１流入口を流出口として利用することによって、再熱除湿運転時、２つの凝縮器からの冷媒を減圧して、１つに蒸発器へ送る構成が可能となる。
【００４４】
本発明の第１４観点または第１５観点に係る空気調和機では、室内熱交換器の使用容量を小さくすることによって、冷媒が直ぐに蒸発することが抑制される。また、室内熱交換器の使用容量が小さくなることによって蒸発圧力が下がり、蒸発温度も下がるので、除湿することが可能となる。そうすると、室内熱交換器全体への送風量が変わらず、冷媒を流す室内熱交換器の容量が小さくなるので、吸い込み空気は顕熱が多く奪われることなく除湿される。
【図面の簡単な説明】
【００４５】
【図１】本発明の第１実施形態に係る流路切換弁を備えた空気調和機の構成図。
【図２】本発明の第１実施形態に係る流路切換弁の斜視図。
【図３Ａ】第１通路を用いた第１形態へ切り換えられた流路切換弁の第１切換部および第２切換部を本体の中心軸と直交する面で切断したときの流路切換弁の断面図。
【図３Ｂ】第３通路を用いた第２形態へ切り換えられた流路切換弁の第１切換部および第２切換部を本体の中心軸と直交する面で切断したときの流路切換弁の断面図。
【図３Ｃ】第３通路を用いた第３形態へ切り換えられた流路切換弁の第１切換部および第２切換部を本体の中心軸と直交する面で切断したときの流路切換弁の断面図。
【図３Ｄ】第２通路を用いた第１形態へ切り換えられた流路切換弁の第１切換部および第２切換部を本体の中心軸と直交する面で切断したときの流路切換弁の断面図。
【図４Ａ】第１通路を用いた第１形態へ切り換えられた流路切換弁の冷媒経路図。
【図４Ｂ】第３通路を用いた第２形態へ切り換えられた流路切換弁の冷媒経路図。
【図４Ｃ】第３通路を用いた第３形態へ切り換えられた流路切換弁の冷媒経路図。
【図４Ｄ】第２通路を用いた第１形態へ切り換えられた流路切換弁の冷媒経路図。
【図５Ａ】第１実施形態の変形例に係る流路切換弁であって、第１通路を用いた第１形態へ切り換えられた流路切換弁の第１切換部および第２切換部を本体の中心軸と直交する面で切断したときの流路切換弁の断面図。
【図５Ｂ】第１実施形態の変形例に係る流路切換弁であって、第３通路を用いた第２形態へ切り換えられた流路切換弁の第１切換部および第２切換部を本体の中心軸と直交する面で切断したときの流路切換弁の断面図。
【図５Ｃ】第１実施形態の変形例に係る流路切換弁であって、第２通路を用いた第１形態へ切り換えられた流路切換弁の第１切換部および第２切換部を本体の中心軸と直交する面で切断したときの流路切換弁の断面図。
【図６Ａ】第２実施形態に係る流路切換弁を備えた空気調和機の構成図。
【図６Ｂ】第２実施形態に係る流路切換弁を備えた第２の空気調和機の構成図。
【図７Ａ】第２実施形態に係る流路切換弁であって、第１通路が第１配管接続部に対峙する第１形態へ切り換えられた流路切換弁の第１切換部および第２切換部を本体の中心軸と直交する面で切断したときの流路切換弁の断面図。
【図７Ｂ】第２実施形態に係る流路切換弁であって、第１通路が第２配管接続部に対峙する第１形態へ切り換えられた流路切換弁の第１切換部および第２切換部を本体の中心軸と直交する面で切断したときの流路切換弁の断面図。
【図７Ｃ】第２実施形態に係る流路切換弁であって、第３通路が第１配管接続部及び第３配管接続部に対峙する第２形態へ切り換えられた流路切換弁の第１切換部および第２切換部を本体の中心軸と直交する面で切断したときの流路切換弁の断面図。
【図７Ｄ】第２実施形態に係る流路切換弁であって、第３通路が第２配管接続部及び第４配管接続部に対峙する第２形態へ切り換えられた流路切換弁の第１切換部および第２切換部を本体の中心軸と直交する面で切断したときの流路切換弁の断面図。
【図７Ｅ】第２実施形態に係る流路切換弁であって、第２通路が第１配管接続部に対峙する第１形態へ切り換えられた流路切換弁の第１切換部および第２切換部を本体の中心軸と直交する面で切断したときの流路切換弁の断面図。
【図７Ｆ】第２実施形態に係る流路切換弁であって、第２通路が第２配管接続部に対峙する第１形態へ切り換えられた流路切換弁の第１切換部および第２切換部を本体の中心軸と直交する面で切断したときの流路切換弁の断面図。
【図８】第２実施形態に係る流路切換弁の弁体の斜視図。
【図９Ａ】図７Ａに対応する流路切換弁の冷媒経路図。
【図９Ｂ】図７Ｂに対応する流路切換弁の冷媒経路図。
【図９Ｃ】図７Ｃに対応する流路切換弁の冷媒経路図。
【図９Ｄ】図７Ｄに対応する流路切換弁の冷媒経路図。
【図９Ｅ】図７Ｅに対応する流路切換弁の冷媒経路図。
【図９Ｆ】図７Ｆに対応する流路切換弁の冷媒経路図。
【図１０Ａ】第２実施形態に係る流路切換弁を備えた第３の空気調和機の構成図。
【図１０Ｂ】第２実施形態に係る流路切換弁を備えた第４の空気調和機の構成図。
【発明を実施するための形態】
【００４６】
以下図面を参照しながら、本発明の実施形態について説明する。なお、以下の実施形態は、本発明の具体例であって、本発明の技術的範囲を限定するものではない。
【００４７】
＜第１実施形態＞
（１）空気調和機の構成
図１は、本発明の第１実施形態に係る流路切換弁を備えた空気調和機の構成図である。図１において、空気調和機では、室外ユニット６と室内ユニット４とが冷媒連絡管によって接続され、蒸気圧縮式の冷媒回路が構成されている。
【００４８】
（１−１）室外ユニット６
室外ユニット６は、主に室外に設置され、四路切換弁２、圧縮機５、膨張弁７、及び室外熱交換器４６を有している。
【００４９】
四路切換弁２は、冷房運転と暖房運転との切換時に、冷媒の流れの方向を切り換える弁である。四路切換弁２は、暖房運転時、圧縮機５の吐出側と室内熱交換器４０のガス側とを接続するとともに室外熱交換器４６のガス側と圧縮機５の吸入側とを接続する。また、四路切換弁２は、冷房運転時、圧縮機５の吐出側と室外熱交換器４６のガス側とを接続するとともに室内熱交換器４０のガス側と圧縮機５の吸入側とを接続する。
【００５０】
圧縮機５は、インバータ方式を採用した容量可変型圧縮機であって、低圧のガス冷媒を吸入し、圧縮して高圧のガス冷媒とした後に吐出する。
【００５１】
膨張弁７は、暖房運転時には室内熱交換器４０において放熱した高圧の液冷媒を室外熱交換器４６に送る前に減圧し、冷房運転時には室外熱交換器４６において放熱した高圧の液冷媒を室内熱交換器４０に送る前に減圧する。
【００５２】
室外熱交換器４６は、冷房運転時には冷媒の凝縮器として機能し、暖房運転時には冷媒の蒸発器として機能する熱交換器である。
【００５３】
（１−２）室内ユニット４
室内ユニット４は、室内熱交換器４０を有している。室内熱交換器４０は、フィン＆チューブ型熱交換器であって、暖房運転時には冷媒の凝縮器として機能することによって空気を加熱する。また、冷房運転時には冷媒の蒸発器として機能することによって空気を冷却する。
【００５４】
室内熱交換器４０は、第１熱交換部群４１と、第１熱交換部群４１と直列に接続される第２熱交換部群４２と、第１熱交換部群４１と第２熱交換部群４２との間に接続される流路切換弁５１を含む。
【００５５】
（２）室内ユニット４の構成
（２−１）第１熱交換部群４１と第２熱交換部群４２
第１熱交換部群４１は、第１室内熱交換部４０ａ、及び第１室内熱交換部４０ａに並列接続される第２室内熱交換部４０ｂを含む。また、第２熱交換部群４２は、第３室内熱交換部４０ｃ、及び第３室内熱交換部４０ｃに並列接続される第４室内熱交換部４０ｄを含む。
【００５６】
第１室内熱交換部４０ａ、第２室内熱交換部４０ｂ、第３室内熱交換部４０ｃ、及び第４室内熱交換部４０ｄそれぞれは、クロスフィンタイプの熱交換器構造が採用されており、複数の薄いアルミニウム製平板からなる伝熱フィンと、伝熱フィンを貫通する複数の伝熱管とによって構成されている。
【００５７】
（２−２）流路切換弁５１
図２は、本発明の第１実施形態に係る流路切換弁５１の斜視図である。図２において、流路切換弁５１は、本体１０、弁体２０およびモータ３０で構成されている。本体１０は、一端が閉じた円筒管である。本体１０の胴部１０ａには、予め４つの孔があけられ、各孔に配管接続用の管が嵌め込まれてロウ付けされている。説明の便宜上、それら４つの管それぞれを第１配管接続部１１、第２配管接続部１２、第３配管接続部１３、及び第４配管接続部１４とよぶ。
【００５８】
第１配管接続部１１及び第３配管接続部１３は、本体１０の底面１０ｂ側から視て同じ高さ位置で胴部１０ａの周囲に配置されている。弁体２０は、本体１０内部で第１配管接続部１１の流通口と第２配管接続部１２の流通口を開閉する弁機構を形成しており、この弁機構を第１切換部１０１（図３Ａ〜図３Ｄ参照）とよぶ。
【００５９】
同様に、第２配管接続部１２及び第４配管接続部１４は、本体１０の底面１０ｂ側から視て同じ高さ位置で胴部１０ａの周囲に配置されている。弁体２０は、本体１０内部で第３配管接続部１３の流通口と第４配管接続部１４の流通口を開閉する弁機構を形成しており、この弁機構を第２切換部１０２（図３Ａ〜図３Ｄ参照）とよぶ。なお、第１切換部１０１は、第２切換部１０２よりも底面１０ｂに近い。
【００６０】
本体１０の内部は円筒形の空洞であり、その円周面に沿って回転する弁体２０が収納されている。弁体２０はモータ３０によって駆動され、モータ３０の回転角度に応じて、第１形態、第２形態、及び第３形態へ切り換える。
【００６１】
ここで、第１形態とは、弁体２０が第１配管接続部１１と第３配管接続部１３とを連通させ且つ第２配管接続部１２と第４配管接続部１４とを連通させる形態である。第２形態とは、弁体２０が第１配管接続部１１と第３配管接続部１３とだけを連通させる形態である。第３形態とは、弁体２０が第２配管接続部１２と第４配管接続部１４とだけを連通させる形態である。以下、各形態を形成するための構造について、図３Ａ〜図３Ｄを参照しながら説明する。
【００６２】
図３Ａは、第１通路２１ａ，２１ｂを用いた第１形態へ切り換えられた流路切換弁５１の第１切換部１０１および第２切換部１０２を本体１０の中心軸と直交する面で切断したときの流路切換弁５１の断面図である。
【００６３】
また、図３Ｂは、第３通路２３を用いた第２形態へ切り換えられた流路切換弁５１の第１切換部１０１および第２切換部１０２を本体１０の中心軸と直交する面で切断したときの流路切換弁５１の断面図である。
【００６４】
また、図３Ｃは、第３通路２３を用いた第３形態へ切り換えられた流路切換弁５１の第１切換部１０１および第２切換部１０２を本体１０の中心軸と直交する面で切断したときの流路切換弁５１の断面図である。
【００６５】
また、図３Ｄは、第２通路２２ａ，２２ｂを用いた第１形態へ切り換えられた流路切換弁５１の第１切換部１０１および第２切換部１０２を本体の中心軸と直交する面で切断したときの流路切換弁５１の断面図である。
【００６６】
図３Ａ〜図３Ｄにおいて、第２配管接続部１２は、胴部１０ａの中心軸に対して第１配管接続部１１から時計方向に１８０°離れた位置に固定されている。
【００６７】
第１切換部１０１と同様に、第２切換部１０２において、第４配管接続部１４は、胴部１０ａの中心軸に対して第３配管接続部１３から時計方向に１８０°離れた位置に固定されている。
【００６８】
弁体２０は、円柱状の回転体であり、第１通路２１ａ，２１ｂ、第２通路２２ａ，２２ｂ、及び第３通路２３が設けられている。第１通路２１ａ，２１ｂは、弁体２０の周面から中心軸に向かって窪む２つの溝である、それぞれ弁体２０の中心軸に対して１８０°点対称の位置に設けられている。また、第１通路２１ａ，２１ｂは、第１切換部１０１から第２切換部１０２へ至る。
【００６９】
第２通路２２ａ，２２ｂは、弁体２０の周面から中心軸に向かって窪む２つの小溝であり、それぞれは弁体２０の中心軸に対して１８０°点対称の位置に設けられている。第２通路２２ａ，２２ｂは、弁体２０の中心軸に対して時計方向に６０°だけ第１通路２１ａ，２１ｂから離れており、各通路断面積は第１通路２１ａ，２１ｂの各通路断面積よりも小さい。また、第２通路２２ａ，２２ｂは、第１切換部１０１から第２切換部１０２へ至る。
【００７０】
第３通路２３は、弁体２０の周面から中心軸に向かって窪む１つの溝だけから成る。第３通路２３は、弁体２０の中心軸に対して反時計方向に６０°だけ第１通路２１ａから離れている。また、第３通路２３は、第１切換部１０１から第２切換部１０２へ至る。
【００７１】
第１通路２１ａ，２１ｂを用いた第１形態では、一方の第１通路２１ａが第１配管接続部１１及び第３配管接続部１３に対峙し、他方の第１通路２１ｂが第２配管接続部１２及び第４配管接続部１４に対峙する。
【００７２】
また、第２通路２２ａ，２２ｂを用いた第１形態では、一方の第２通路２２ａが第１配管接続部１１及び第３配管接続部１３に対峙し、他方の第２通路２２ｂが第２配管接続部１２及び第４配管接続部１４に対峙する。
【００７３】
また、第２形態では、第３通路２３が第１配管接続部１１及び第３配管接続部１３に対峙する。
【００７４】
さらに、第３形態では、第３通路２３が第２配管接続部１２及び第４配管接続部１４に対峙する。
【００７５】
図４Ａは、第１通路２１ａ，２１ｂを用いた第１形態へ切り換えられた流路切換弁５１の冷媒経路図である。図４Ａにおいて、第１通路２１ａ，２１ｂを用いた第１形態では、第１配管接続部１１と第３配管接続部１３とが連通し、且つ第２配管接続部１２と第４配管接続部１４とが連通する。
【００７６】
図４Ｂは、第３通路２３を用いた第２形態へ切り換えられた流路切換弁の冷媒経路図である。図４Ｂにおいて、第３通路２３を用いた第２形態では、第１配管接続部１１と第３配管接続部１３だけが連通する。
【００７７】
図４Ｃは、第３通路２３を用いた第３形態へ切り換えられた流路切換弁の冷媒経路図である。図４Ｃにおいて、第３通路２３を用いた第３形態では、第２配管接続部１２と第４配管接続部１４とだけが連通する。
【００７８】
図４Ｄは、第２通路２２ａ，２２ｂを用いた第１形態へ切り換えられた流路切換弁の冷媒経路図である。図４Ｄにおいて、第２通路２２ａ，２２ｂを用いた第１形態では、第１配管接続部１１と第３配管接続部１３とが連通し、且つ第２配管接続部１２と第４配管接続部１４とが連通する。さらに、第２通路２２ａ，２２ｂは第１通路２１ａ，２１ｂよりも通路断面積が極端に小さいので、例えば、冷媒が第２通路２２ａ，２２ｂを通過するとき、その冷媒は第２通路２２ａ，２２ｂで絞られて減圧される。
【００７９】
（３）暖房運転時の冷媒の流れ
ここでは、図１、図３Ａ及び図４Ａを用いて、暖房運転時の冷媒の流れを説明する。図１において、冷媒は、圧縮機５に吸入され、高圧まで圧縮された後に吐出される。圧縮機５から吐出された高圧の冷媒は、四路切換弁２を通じて、室内熱交換器４０に送られる。冷媒は室内熱交換器４０の入口手前で２方向に分岐し、一方は第３室内熱交換部４０ｃに、他方は第４室内熱交換部４０ｄに送られる。
【００８０】
図３Ａに示すように、暖房運転時、流路切換弁５１は第１通路２１ａ，２１ｂを用いた第１形態に切り換えられている。それゆえ、図４Ａの点線の矢で示すように、第３室内熱交換部４０ｃを出た冷媒は第３配管接続部１３から一方の第１通路２１ａを通って第１配管接続部１１に至る。そして、第１配管接続部１１を出た冷媒は第１室内熱交換部４０ａに入る。
【００８１】
また、第４室内熱交換部４０ｄを出た冷媒は第４配管接続部１４から他方の第１通路２１ｂを通って第２配管接続部１２に至る。そして、第２配管接続部１２を出た冷媒は第２室内熱交換部４０ｂに入る。
【００８２】
つまり、室内熱交換器４０内では、冷媒は、第３室内熱交換部４０ｃと第１室内熱交換部４０ａとを流れる間に室内空気と熱交換器して凝縮する冷媒、および第４室内熱交換部４０ｄと第２室内熱交換部４０ｂとを流れる間に室内空気と熱交換器して凝縮する冷媒の２系統に分かれている。室内熱交換器４０において凝縮した高圧の冷媒は、膨張弁７に送られて低圧まで減圧され、室外熱交換器４６において、室外空気と熱交換を行って蒸発する。室外熱交換器４６において蒸発した低圧の冷媒は、四路切換弁２を通じて、再び、圧縮機５に吸入される。
【００８３】
（４）冷房運転時の冷媒の流れ
ここでは、図１、図３Ａ及び図４Ａを用いて冷房運転時の冷媒の流れを説明する。図１において、冷媒は、圧縮機５に吸入され、高圧まで圧縮された後に吐出される。圧縮機５から吐出された高圧の冷媒は、四路切換弁２を通じて、室外熱交換器４６に送られる。室外熱交換器４６に送られた高圧の冷媒は、室外空気と熱交換を行って放熱する。室外熱交換器４６において放熱した高圧の冷媒は、膨張弁７に送られて低圧まで減圧され、室内熱交換器４０に送られる。冷媒は室内熱交換器４０の入口手前で２方向に分岐し、一方は第１室内熱交換部４０ａに、他方は第２室内熱交換部４０ｂに送られる。
【００８４】
図３Ａに示すように、通常の冷房運転時、流路切換弁５１は、第１通路２１ａ，２１ｂを用いた第１形態へ切り換えられている。それゆえ、図４Ａの実線の矢で示すように第１室内熱交換部４０ａを出た冷媒は第１配管接続部１１から一方の第１通路２１ａを通って第３配管接続部１３に至る。そして、第３配管接続部１３を出た冷媒は第３室内熱交換部４０ｃに入る。
【００８５】
また、第２室内熱交換部４０ｂを出た冷媒は第２配管接続部１２から他方の第１通路２１ｂを通って第４配管接続部１４に至る。そして、第４配管接続部１４を出た冷媒は第４室内熱交換部４０ｄに入る。
【００８６】
つまり、室内熱交換器４０内では、冷媒は、第１室内熱交換部４０ａと第３室内熱交換部４０ｃとを流れる間に室内空気と熱交換器して蒸発する冷媒、および第２室内熱交換部４０ｂと第４室内熱交換部４０ｄとを流れる間に室内空気と熱交換器して蒸発する冷媒の２系統に分かれている。室内熱交換器４０において蒸発した低圧の冷媒は、四路切換弁２を通じて、再び、圧縮機５に吸入される。
【００８７】
（５）省エネ冷房運転時の冷媒の流れ
ここでは、図１、図３Ｂ、図３Ｃ、図４Ｂ及び図４Ｃを用いて、省エネ冷房運転時の冷媒の流れを説明する。図１において、冷媒は、圧縮機５に吸入され、高圧まで圧縮された後に吐出される。圧縮機５から吐出された高圧の冷媒は、四路切換弁２を通じて、室外熱交換器４６に送られる。室外熱交換器４６に送られた高圧の冷媒は、室外空気と熱交換を行って放熱する。室外熱交換器４６において放熱した高圧の冷媒は、膨張弁７に送られて低圧まで減圧され、室内熱交換器４０に送られる。冷媒は室内熱交換器４０の入口手前で２方向に分岐し、一方は第１室内熱交換部４０ａに、他方は第２室内熱交換部４０ｂに送られる。
【００８８】
省エネ冷房運転時、流路切換弁５１は、図３Ｂに示された第２形態へ切り換えられている。それゆえ、図４Ｂの実線の矢で示すように第１室内熱交換部４０ａを出た冷媒は第１配管接続部１１から第３通路２３を通って第３配管接続部１３に至る。そして、第３配管接続部１３を出た冷媒は第３室内熱交換部４０ｃに入る。第２室内熱交換部４０ｂに送られた冷媒は流れずに第２室内熱交換部４０ｂ内に滞留する。
【００８９】
つまり、室内熱交換器４０内では、冷媒は、第１室内熱交換部４０ａと第３室内熱交換部４０ｃとを流れる間に室内空気と熱交換器して蒸発する。室内熱交換器４０において蒸発した低圧の冷媒は、四路切換弁２を通じて、再び、圧縮機５に吸入される。
【００９０】
なお、省エネ冷房運転時、流路切換弁５１は、図３Ｃに示された第３形態を選択することもでき、この場合は図４Ｃに示すように、第２室内熱交換部４０ｂ出た冷媒は第２配管接続部１２から第３通路２３を通って第４配管接続部１４に至る。そして、第４配管接続部１４を出た冷媒は第４室内熱交換部４０ｄに入る。第１室内熱交換部４０ａに送られた冷媒は流れずに第１室内熱交換部４０ａ内に滞留する。
【００９１】
つまり、室内熱交換器４０内では、冷媒は、第２室内熱交換部４０ｂと第４室内熱交換部４０ｄとを流れる間に室内空気と熱交換器して蒸発する。室内熱交換器４０において蒸発した低圧の冷媒は、四路切換弁２を通じて、再び、圧縮機５に吸入される。
【００９２】
（６）再熱除湿運転時の冷媒の流れ
ここでは、図１、図３Ｄ及び図４Ｄを用いて再熱除湿運転時の冷媒の流れを説明する。図１において、冷媒は、圧縮機５に吸入され、高圧まで圧縮された後に吐出される。再熱除湿運転時、膨張弁７は全開となるので、圧縮機５から吐出された高圧の冷媒は、四路切換弁２を通じて室外熱交換器４６、及び室内熱交換器４０の第１熱交換器部群４１にまで及ぶ。なお、室外熱交換器４６から送られて来た高圧の冷媒は第１熱交換部群４１の手前で２方向に分岐し、一方は第１室内熱交換部４０ａに入り、他方は第２室内熱交換部４０ｂに入る。つまり、高圧の冷媒は、室内熱交換器４６での室外空気との熱交換、および第１熱交換部群４１での室内空気との熱交換によって凝縮する。
【００９３】
また、再熱除湿運転中、流路切換弁５１は、図３Ｄに示すように通路断面積の小さい第２通路２２ａ，２２ｂを用いた第１形態を成している。それゆえ、第１室内熱交換部４０ａを出た冷媒は、第１配管接続部１１から一方の第２通路２２ａを通って第３配管接続部１３に至る間に絞られて減圧される。そして、第３配管接続部１３を出た冷媒は、第３室内熱交換部４０ｃに入り、室内空気と熱交換して蒸発する。
【００９４】
また、第２室内熱交換部４０ｂを出た冷媒は第２配管接続部１２から他方の第２通路２２ｂを通って第４配管接続部１４に至る間に絞られて減圧される。そして、第４配管接続部１４を出た冷媒は第４室内熱交換部４０ｄに入り、室内空気と熱交換して蒸発する。
【００９５】
つまり、室内熱交換器４０内では、冷媒は、第１室内熱交換部４０ａで室内空気と熱交換して凝縮し第３室内熱交換部４０ｃで室内空気と熱交換器して蒸発する冷媒、および第２室内熱交換部４０ｂで室内空気と熱交換して凝縮し第４室内熱交換部４０ｄで室内空気と熱交換して蒸発する冷媒の２系統に分かれている。第３室内熱交換部４０ｃおよび第４室内熱交換部４０ｄにおいて蒸発した低圧の冷媒は、四路切換弁２を通じて、再び、圧縮機５に吸入される。
【００９６】
（７）第１実施形態の特徴
（７−１）
流路切換弁５１が、冷媒が流れる複数のパスを有する冷却用蒸発器の入口または出口に配置されたとき、第１通路２１ａ，２１ｂを用いた第１形態では蒸発器全体で冷房を行うことができ、第２形態または第３形態では一部のパスにのみ冷媒を流し蒸発器として冷房を行うことができる。
【００９７】
（７−２）
流路切換弁５１が、冷媒が流れる２つの直列配置のパスの間に配置されたとき、第２通路２２ａ，２２ｂを用いた第１形態に切り換わることによって、流路切換弁５１の上流側のパスを凝縮器として、下流側のパスを蒸発器として利用することが可能になる。
【００９８】
（７−３）
流路切換弁５１を備えた空気調和機では、冷房運転時に制御部８が流路切換弁５１を第２形態へ切り換えさせることによって、第１室内熱交換部４０ａ及び第２室内熱交換部４０ｂだけに冷媒を流すことができるので、室内熱交換器４０の一部だけが蒸発器となる。それゆえ、室内熱交換器４０の使用容量が小さくなり、冷媒が直ぐに蒸発することが抑制される。また、室内熱交換器４０の使用容量が小さくなることによって蒸発圧力が下がり蒸発温度も下がるので、例えば、室内熱交換器４０全体への送風量が変わらず、冷媒を流す室内熱交換器４０の容量が小さくなったときには、吸い込み空気は顕熱が多く奪われることなく除湿される。
【００９９】
（７−４）
流路切換弁５１を備えた空気調和機では、制御部８が、流路切換弁５１を、第２通路２２ａ，２２ｂを用いた第１形態へ切り換えることによって冷媒が減圧され、第１室内熱交換部群４１が凝縮器になり、第２室内熱交換部群４２が蒸発器になる。つまり、流路切換弁５１は再熱除湿運転時の膨張弁としての機能をも有する。
【０１００】
（８）第１実施形態の変形例
第１実施形態では、第１通路２１ａ，２１ｂは２つの互いに独立した溝であるが、１つの溝であってもよい。以下、図５Ａ〜図５Ｃを参照しながら第１実施形態の変形例に係る流路切換弁について説明する。
【０１０１】
図５Ａは、第１実施形態の変形例に係る流路切換弁５１であって、第１通路２１を用いた第１形態へ切り換えられた流路切換弁５１の第１切換部１０１および第２切換部１０２を本体１０の中心軸と直交する面で切断したときの流路切換弁５１の断面図である。
【０１０２】
また、図５Ｂは、第１実施形態の変形例に係る流路切換弁５１であって、第３通路２３を用いた第２形態へ切り換えられた流路切換弁５１の第１切換部１０１および第２切換部１０２を本体１０の中心軸と直交する面で切断したときの流路切換弁５１の断面図である。
【０１０３】
さらに、図５Ｃは、第１実施形態の変形例に係る流路切換弁５１であって、第２通路２２を用いた第１形態へ切り換えられた流路切換弁５１の第１切換部１０１および第２切換部１０２を本体１０の中心軸と直交する面で切断したときの流路切換弁５１の断面図である。
【０１０４】
図５Ａ〜図５Ｃにおいて、第２配管接続部１２は、胴部１０ａの中心軸に対して第１配管接続部１１から時計方向に６０°離れた位置に固定されている。
【０１０５】
第１切換部１０１と同様に、第２切換部１０２において、第４配管接続部１４は、胴部１０ａの中心軸に対して第３配管接続部１３から時計方向に６０°離れた位置に固定されている。
【０１０６】
弁体２０は、円柱状の回転体であり、第１通路２１、第２通路２２、及び第３通路２３が設けられている。第１通路２１は、弁体２０の周面から中心軸に向かって窪む１つの溝である。
【０１０７】
第２通路２２は、弁体２０の周面から中心軸に向かって窪む１つの小溝である。第２通路２２は、弁体２０の中心軸に対して時計方向に６０°だけ第１通路２１から離れており、通路断面積は第１通路２１の通路断面積よりも小さい。
【０１０８】
第３通路２３は、弁体２０の周面から中心軸に向かって窪む１つの溝である。第３通路２３は、弁体２０の中心軸に対して反時計方向に６０°だけ第１通路２１から離れている。
【０１０９】
第１通路２１を用いた第１形態では、第１通路２１が第１配管接続部１１、第２配管接続部１２、第３配管接続部１３、及び第４配管接続部１４と同時に対峙する。それゆえ、第１通路２１を用いた第１形態では、第１配管接続部１１と第２配管接続部１２とから流入する冷媒が第１通路２１で合流した後、第３配管接続部１３と第４配管接続部１４とに分流する。
【０１１０】
第２通路２２を用いた第１形態では、第２通路２２が第１配管接続部１１、第２配管接続部１２、第３配管接続部１３、及び第４配管接続部１４と同時に対峙する。それゆえ、第２通路２２を用いた第１形態では、第１配管接続部１１と第２配管接続部１２とから流入する冷媒が第２通路２２で合流した後、第３配管接続部１３と第４配管接続部１４とに分流する。また、第２通路２２は第１通路２１よりも通路断面積が極端に小さいので、例えば、冷媒が第２通路２２を通過するとき、その冷媒は第２通路２２で絞られて減圧される。
【０１１１】
また、第２形態では、第３通路２３が第１配管接続部１１及び第３配管接続部１３に対峙する。それゆえ、第３通路２３を用いた第２形態では、第１配管接続部１１と第３配管接続部１３だけが連通する。
【０１１２】
図１において、第１室内熱交換部４０ａから第１配管接続部１１に、第２熱交換部４０ｂから第２配管接続部１２に流入する冷媒は、一旦、第１通路２１で合流してから第３配管接続部１３および第４配管接続部１４それぞれへ分流される。
【０１１３】
それゆえ、第１配管接続部１１及び第２配管接続部１２それぞれから流入する冷媒に偏流が生じている場合でも、第１通路２１でその偏流が解消され、第３配管接続部１３及び第２配管接続部１４それぞれへほぼ均等に分流される機会が与えられる。
【０１１４】
（９）変形例の特徴
流路切換弁５１では、第１配管接続部１１および第２配管接続部１２それぞれから流入する冷媒に偏流が生じている場合でも、第１通路２１でその偏流が解消され、第１配管接続部１３および第４配管接続部１４それぞれへほぼ均等に分流される機会が与えられる。
【０１１５】
また、第１配管接続部１１および第２配管接続部１２それぞれから流入する冷媒に偏流が生じている場合でも、第２通路２２でその偏流が解消され且つ減圧されて、第１配管接続部１３および第４配管接続部１４それぞれへほぼ均等に分流される機会が与えられる。
【０１１６】
＜第２実施形態＞
（１）空気調和装置の構成
図６Ａは、第２実施形態に係る流路切換弁を備えた空気調和機の構成図である。図６Ａにおいて、冷媒回路上の図１との違いは、室内熱交換器４０の第１熱交部群４１の第１室内熱交換部４０ａに代えてバイパス路６１が設けられていることであり、それ以外は、図１に記載の空気調和機と同じ構成であるので、同じ部品には同じ名称および符号を付与し、詳細な説明を省略する。
【０１１７】
また、第２実施形態に係る流路切換弁５１では、弁体２０が、本体１０内部で第１配管接続部１１の流通口と第２配管接続部１２の流通口を開閉する第１切換部１０１（図７Ａ〜図７Ｆ参照）と、第３配管接続部１３の流通口と第４配管接続部１４の流通口を開閉する第２切換部１０２（図７Ａ〜図７Ｆ参照）とを形成している。但し、弁体２０の構成は第１実施形態と異なる。以下、図７Ａ〜図７Ｆを参照しながら第２実施形態に係る流路切換弁５１を説明する。
【０１１８】
（２）流路切換弁５１の構成
図７Ａは、第２実施形態に係る流路切換弁５１であって、第１通路２１が第１配管接続部１１に対峙する第１形態へ切り換えられた流路切換弁５１の第１切換部１０１および第２切換部１０２を本体１０の中心軸と直交する面で切断したときの流路切換弁５１の断面図である。
【０１１９】
図７Ｂは、第２実施形態に係る流路切換弁５１であって、第１通路２１が第２配管接続部１２に対峙する第１形態へ切り換えられた流路切換弁５１の第１切換部１０１および第２切換部１０２を本体１０の中心軸と直交する面で切断したときの流路切換弁５１の断面図である。
【０１２０】
図７Ｃは、第２実施形態に係る流路切換弁５１であって、第３通路２３が第１配管接続部１１及び第３配管接続部１３に対峙する第２形態へ切り換えられた流路切換弁５１の第１切換部１０１および第２切換部１０２を本体１０の中心軸と直交する面で切断したときの流路切換弁５１の断面図である。
【０１２１】
図７Ｄは、第２実施形態に係る流路切換弁５１であって、第３通路２３が第２配管接続部１２及び第４配管接続部１４に対峙する第２形態へ切り換えられた流路切換弁５１の第１切換部１０１および第２切換部１０２を本体１０の中心軸と直交する面で切断したときの流路切換弁５１の断面図である。
【０１２２】
図７Ｅは、第２実施形態に係る流路切換弁５１であって、第２通路２２が第１配管接続部１１に対峙する第１形態へ切り換えられた流路切換弁５１の第１切換部１０１および第２切換部１０２を本体１０の中心軸と直交する面で切断したときの流路切換弁５１の断面図である。
【０１２３】
図７Ｆは、第２実施形態に係る流路切換弁５１であって、第２通路２２が第２配管接続部１２に対峙する第１形態へ切り換えられた流路切換弁５１の第１切換部１０１および第２切換部１０２を本体１０の中心軸と直交する面で切断したときの流路切換弁５１の断面図である。
【０１２４】
図７Ａ〜図７Ｆにおいて、第２配管接続部１２は、胴部１０ａの中心軸に対して第１配管接続部１１から時計方向に１８０°離れた位置に固定されている。
【０１２５】
第１切換部１０１と同様に、第２切換部１０２において、第４配管接続部１４は、胴部１０ａの中心軸に対して第３配管接続部１３から時計方向に１８０°離れた位置に固定されている。
【０１２６】
図８は、第２実施形態に係る流路切換弁５１の弁体２０の斜視図である。図８において、弁体２０は、本体１０の内部で第１切換部１０１を形成する第１弁体部２０ａと、本体１０の内部で第２切換部１０２を形成する第２弁体部２０ｂとを含んでいる。
【０１２７】
第１弁体部２０ａは円柱状の回転体である。第２弁体部２０ｂは、第１弁体部２０ａの外周円弧の一部が延長されるように第１弁体部２０ａの上面から突出する半円柱状の回転体であり、第１弁体部２０ｂと一体的に回転する。
【０１２８】
弁体２０には、第１通路２１、第２通路２２、及び第３通路２３が設けられている。第１通路２１は、第１弁体部２０ａの周面から中心軸に向かって窪む１つの溝である。
【０１２９】
第２通路２２は、第１弁体２０ａの周面から中心軸に向かって窪む１つの小溝である。また、第２通路２２は、第１弁体部２０ａの中心軸に対して時計方向に１２０°だけ第１通路２１から離れており、通路断面積は第１通路２１よりも小さい。
【０１３０】
第３通路２３は、第１弁体部２０ａの周面から中心軸に向かって窪む溝と第２弁体部２０ｂの周面から中心軸に向って窪む溝とが１列に繋がった１つの溝である。第３通路２３は、弁体２０の中心軸に対して反時計方向に１２０°だけ第１通路２１から離れている。
【０１３１】
弁体２０が本体１０内部に配置された状態では、第１弁体２０ａは第３配管接続部１３および第４配管接続部１４の高さまで到らないので、結果的に第１通路２１と第２通路２２は、第２切換部１０２で同一空間に繋がった状態になり、第３配管接続部１３および第４配管接続部１４と同時に対峙できる。
【０１３２】
つまり、第１通路２１を用いた第１形態では、第１通路２１が第１配管接続部１１と対峙することによって第１配管接続部１１、第３配管接続部１３及び第４配管接続部１４に対峙する。なお、第１通路２１が第２配管接続部１２と対峙することによって第２配管接続部１２、第３配管接続部１３及び第４配管接続部１４が連通するので、この状態を、第１通路２１を用いた第１形態としても実質的に同じである。
【０１３３】
第２通路２２を用いた第１形態では、第２通路２２が第１配管接続部１１と対峙することによって第１配管接続部１１、第３配管接続部１３及び第４配管接続部１４が連通する。なお、第２通路２２が第２配管接続部１２と対峙することによって第２配管接続部１２、第３配管接続部１３及び第４配管接続部１４が連通するので、この状態を、第２通路２２を用いた第１形態としても実質的に同じである。
【０１３４】
また、第２形態では、第３通路２３が第１配管接続部１１及び第３配管接続部１３に対峙することによって、第１配管接続部１１と第３配管接続部１３とだけが連通する。なお、第３通路２３が第２配管接続部１２及び第４配管接続部１４に対峙することによって、第２配管接続部１２と第４配管接続部１４とだけが連通するので、この状態を、第２形態としても実質的に同じである。
【０１３５】
（３）暖房運転時の冷媒の流れ
（３−１）通常暖房Ａ
ここでは、図６Ａ、図７B及び図９Bを用いて、暖房運転時の冷媒の流れを説明する。図６Ａにおいて、冷媒は、圧縮機５に吸入され、高圧まで圧縮された後に吐出される。圧縮機５から吐出された高圧の冷媒は、四路切換弁２を通じて、室内熱交換器４０に送られる。冷媒は室内熱交換器４０の入口手前で２方向に分岐し、一方は第３室内熱交換部４０ｃに、他方は第４室内熱交換部４０ｄに送られる。
【０１３６】
図９Ｂは、図７Ｂに対応する流路切換弁の冷媒経路図である。図９Ｂ、図６Ａ及び図７Ｂにおいて、暖房運転時、流路切換弁５１は第１通路２１が第２配管接続部１２に対峙する第１形態に切り換えられている。第３室内熱交換部４０ｃを出た冷媒は第３配管接続部１３を通って、第４室内熱交換部４０ｄを出た冷媒は第４配管接続部１４を通って第２切換部１０２で合流し、第１通路２１を通って第２配管接続部１２に至る。そして、第２配管接続部１２を出た冷媒は第２室内熱交換部４０ｂに入る。
【０１３７】
つまり、室内熱交換器４０内では、冷媒は、第３室内熱交換部４０ｃ、第４室内熱交換部４０ｄ及び第２室内熱交換部４０ｂを流れる間に室内空気と熱交換器して凝縮する。室内熱交換器４０において凝縮した高圧の冷媒は、膨張弁７に送られて低圧まで減圧され、室外熱交換器４６において、室外空気と熱交換を行って蒸発する。室外熱交換器４６において蒸発した低圧の冷媒は、四路切換弁２を通じて、再び、圧縮機５に吸入される。
【０１３８】
（３−２）通常暖房Ｂ
ここでは、図６Ａ、図７Ａ及び図９Ａを用いて、暖房運転時の冷媒の流れを説明する。図６Ａにおいて、冷媒は、圧縮機５に吸入され、高圧まで圧縮された後に吐出される。圧縮機５から吐出された高圧の冷媒は、四路切換弁２を通じて、室内熱交換器４０に送られる。冷媒は室内熱交換器４０の入口手前で２方向に分岐し、一方は第３室内熱交換部４０ｃに、他方は第４室内熱交換部４０ｄに送られる。
【０１３９】
図９Ａは、図７Ａに対応する流路切換弁の冷媒経路図である。図９Ａ、図６Ａ及び図７Ａにおいて、暖房運転時、流路切換弁５１は第１通路２１が第１配管接続部１１に対峙する第１形態に切り換えられている。第３室内熱交換部４０ｃを出た冷媒は第３配管接続部１３を通って、第４室内熱交換部４０ｄを出た冷媒は第４配管接続部１４を通って第２弁室１０２で合流し、第１通路２１を通って第１配管接続部１１に至る。そして、第１配管接続部１１を出た冷媒はバイパス６１に入る。
【０１４０】
つまり、室内熱交換器４０内では、冷媒は、第３室内熱交換部４０ｃ、及び第４室内熱交換部４０ｄを流れる間に室内空気と熱交換器して凝縮する。室内熱交換器４０において凝縮した高圧の冷媒は、膨張弁７に送られて低圧まで減圧され、室外熱交換器４６において、室外空気と熱交換を行って蒸発する。室外熱交換器４６において蒸発した低圧の冷媒は、四路切換弁２を通じて、再び、圧縮機５に吸入される。
【０１４１】
（３−３）通常暖房Ｃ
ここでは、図６Ａ、図７Ｄ及び図９Ｄを用いて、暖房運転時における冷媒の流れを説明する。
【０１４２】
図９Ｄは、図７Ｄに対応する流路切換弁の冷媒経路図である。図９Ｄ、図６Ａ及び図７Ｄにおいて、冷媒は、圧縮機５に吸入され、高圧まで圧縮された後に吐出される。圧縮機５から吐出された高圧の冷媒は、四路切換弁２を通じて、室内熱交換器４０に送られる。冷媒は室内熱交換器４０の入口手前で２方向に分岐し、一方は第３室内熱交換部４０ｃに、他方は第４室内熱交換部４０ｄに送られる。
【０１４３】
流路切換弁５１は、図７Ｄに示すように第３通路２３が第２配管接続部１２および第４配管接続部１４に対峙する第２形態へ切り換えられている。それゆえ、第４室内熱交換部４０ｄを通過した冷媒のみが第４配管接続部１４から第３通路２３を通って第２配管接続部１２に至る。そして、第２配管接続部１２を出た冷媒は第２室内熱交換部４０ｂに入る。
【０１４４】
つまり、室内熱交換器４０内では、冷媒は、第４室内熱交換部４０ｄ及び第２室内熱交換部４０ｂで室内空気と熱交換器して凝縮する。室内熱交換器４０において凝縮した高圧の冷媒は、膨張弁７に送られて低圧まで減圧され、室外熱交換器４６において、室外空気と熱交換を行って蒸発する。室外熱交換器４６において蒸発した低圧の冷媒は、四路切換弁２を通じて、再び、圧縮機５に吸入される。
【０１４５】
（４）冷房運転時の冷媒の流れ
（４−１）通常冷房Ａ
ここでは、図６Ａ、図７Ｂ及び図９Ｂを用いて冷房運転時の冷媒の流れを説明する。図６Ａにおいて、冷媒は、圧縮機５に吸入され、高圧まで圧縮された後に吐出される。圧縮機５から吐出された高圧の冷媒は、四路切換弁２を通じて、室外熱交換器４６に送られる。室外熱交換器４６に送られた高圧の冷媒は、室外空気と熱交換を行って放熱する。室外熱交換器４６において放熱した高圧の冷媒は、膨張弁７に送られて低圧まで減圧され、室内熱交換器４０に送られる。冷媒は室内熱交換器４０の入口手前で２方向に分岐し、一方はバイパス６１に、他方は第２室内熱交換部４０ｂに送られる。
【０１４６】
図９Ｂ、図６Ａ及び図７Ｂにおいて、通常の冷房運転時、流路切換弁５１は、第１通路２１が第２配管接続部１２に対峙する第１形態へ切り換えられている。第１配管接続部１１は閉じられているので、冷媒はバイパス路６１を流れることができない。
【０１４７】
また、第２室内熱交換部４０ｂを出た冷媒は第２配管接続部１２から第１通路２１を通って第３配管接続部１３及び第４配管接続部１４に至る。そして、第３配管接続部１３を出た冷媒は第３室内熱交換部４０ｃに入る。第４配管接続部１４を出た冷媒は第４室内熱交換部４０ｄに入る。
【０１４８】
つまり、室内熱交換器４０内では、冷媒は、第２室内熱交換部４０ｂ、第３室内熱交換部４０ｃ、及び第４室内熱交換部４０ｄを流れる間に室内空気と熱交換器して蒸発する。室内熱交換器４０において蒸発した低圧の冷媒は、四路切換弁２を通じて、再び、圧縮機５に吸入される。
【０１４９】
（４−２）通常冷房Ｂ
ここでは、図６Ａ、図７Ａ及び図９Ａを用いて冷房運転時の冷媒の流れを説明する。図６Ａにおいて、冷媒は、圧縮機５に吸入され、高圧まで圧縮された後に吐出される。圧縮機５から吐出された高圧の冷媒は、四路切換弁２を通じて、室外熱交換器４６に送られる。室外熱交換器４６に送られた高圧の冷媒は、室外空気と熱交換を行って放熱する。室外熱交換器４６において放熱した高圧の冷媒は、膨張弁７に送られて低圧まで減圧され、室内熱交換器４０に送られる。冷媒は室内熱交換器４０の入口手前で２方向に分岐し、一方はバイパス路６１に、他方は第２室内熱交換部４０ｂに送られる。
【０１５０】
図９Ａ、図６Ａ及び図７Ａにおいて、通常の冷房運転時、流路切換弁５１は、第１通路２１が第１配管接続部１１に対峙する第１形態へ切り換えられている。第２配管接続部１２は閉じられているので、冷媒はバイパス路６１を流れる。
【０１５１】
また、バイパス６１を出た冷媒は第１配管接続部１１から第１通路２１を通って第３配管接続部１３及び第４配管接続部１４に至る。そして、第３配管接続部１３を出た冷媒は第３室内熱交換部４０ｃに入る。第４配管接続部１４を出た冷媒は第４室内熱交換部４０ｄに入る。
【０１５２】
つまり、室内熱交換器４０内では、冷媒は、第３室内熱交換部４０ｃ、及び第４室内熱交換部４０ｄを流れる間に室内空気と熱交換器して蒸発する。室内熱交換器４０において蒸発した低圧の冷媒は、四路切換弁２を通じて、再び、圧縮機５に吸入される。
【０１５３】
（４−３）通常冷房Ｃ
ここでは、図６Ａ、図７Ｄ及び図９Ｄを用いて、冷房運転時における冷媒の流れを説明する。
【０１５４】
図９Ｄは、図７Ｄに対応する流路切換弁の冷媒経路図である。図９Ｄ、図６Ａ及び図７Ｄにおいて、冷媒は、圧縮機５に吸入され、高圧まで圧縮された後に吐出される。圧縮機５から吐出された高圧の冷媒は、四路切換弁２を通じて、室外熱交換器４６に送られる。室外熱交換器４６に送られた高圧の冷媒は、室外空気と熱交換を行って放熱する。室外熱交換器４６において放熱した高圧の冷媒は、膨張弁７に送られて低圧まで減圧され、室内熱交換器４０に送られる。冷媒は室内熱交換器４０の入口手前で２方向に分岐し、一方はバイパス路６１に、他方は第２室内熱交換部４０ｂに送られる。
【０１５５】
流路切換弁５１は、図７Ｄに示すように第３通路２３が第２配管接続部１２および第４配管接続部１４に対峙する第２形態へ切り換えられている。それゆえ、第２室内熱交換部４０ｂを通過した冷媒のみが第２配管接続部１２から第３通路２３を通って第４配管接続部１４に至る。そして、第４配管接続部１４を出た冷媒は第４室内熱交換部４０ｄに入る。
【０１５６】
つまり、室内熱交換器４０内では、冷媒は、第２室内熱交換部４０ｂ及び第４室内熱交換部４０ｄで室内空気と熱交換器して蒸発する。室内熱交換器４０において蒸発した低圧の冷媒は、四路切換弁２を通じて、再び、圧縮機５に吸入される。
【０１５７】
（５）省エネ冷房運転時の冷媒の流れ
この空気調和機では、冷媒を第３室内熱交換部４０ｃでのみ蒸発させることができる、省エネ冷房運転に適している。以下、図６Ａ、図７Ｃ及び図９Ｃを用いて、省エネ冷房運転時における冷媒の流れを説明する。
【０１５８】
図９Ｃは、図７Ｃに対応する流路切換弁の冷媒経路図である。図９Ｃ、図６Ａ及び図７Ｃにおいて、冷媒は、圧縮機５に吸入され、高圧まで圧縮された後に吐出される。圧縮機５から吐出された高圧の冷媒は、四路切換弁２を通じて、室外熱交換器４６に送られる。室外熱交換器４６に送られた高圧の冷媒は、室外空気と熱交換を行って放熱する。室外熱交換器４６において放熱した高圧の冷媒は、膨張弁７に送られて低圧まで減圧され、室内熱交換器４０に送られる。冷媒は室内熱交換器４０の入口手前で２方向に分岐し、一方はバイパス路６１に、他方は第２室内熱交換部４０ｂに送られる。
【０１５９】
省エネ冷房運転時、流路切換弁５１は、図７Ｃに示すように第３通路２３が第１配管接続部１１および第３配管接続部１３に対峙する第２形態へ切り換えられている。それゆえ、バイパス路６１を通過した冷媒のみが第１配管接続部１１から第３通路２３を通って第３配管接続部１３に至る。そして、第３配管接続部１３を出た冷媒は第３室内熱交換部４０ｃに入る。
【０１６０】
つまり、室内熱交換器４０内では、冷媒は、第３室内熱交換部４０ｃでのみ室内空気と熱交換器して蒸発する。室内熱交換器４０において蒸発した低圧の冷媒は、四路切換弁２を通じて、再び、圧縮機５に吸入される。
【０１６１】
（６）再熱除湿運転時の冷媒の流れ
ここでは、図６Ａ、図７Ｆ及び図９Ｆを用いて再熱除湿運転時の冷媒の流れを説明する。図６Ａにおいて、冷媒は、圧縮機５に吸入され、高圧まで圧縮された後に吐出される。再熱除湿運転時、膨張弁７は全開となるので、圧縮機５から吐出された高圧の冷媒は、四路切換弁２を通じて室外熱交換器４６、及び室内熱交換器４０の第１熱交換器部群４１にまで及ぶ。なお、室外熱交換器４６から送られて来た高圧の冷媒は第１熱交換部群４１の手前で２方向に分岐し、一方はバイパス路６１に送られ、他方は第２室内熱交換部４０ｂに送られる。但し、バイパス路６１と繋がる第１配管接続部１１は流路切換弁５１によって閉じられているので、バイパス路６１には冷媒が流れない。そうすると、高圧の冷媒は、室内熱交換器４６での室外空気との熱交換、および第２熱交換部４０ｂでの室内空気との熱交換によって凝縮する。
【０１６２】
図９Ｆは、図７Ｆに対応する流路切換弁の冷媒経路図である。図９Ｆ、図６Ａ及び図７Ｆにおいて、再熱除湿運転中、流路切換弁５１は、通路断面積の小さい第２通路２２が第２配管接続部１２と対峙する第１形態を成している。それゆえ、第２室内熱交換部４０ｂを出た冷媒は、第２配管接続部１２から第２通路２２を通って第３配管接続部１３及び第４配管接続部１４に至る間に絞られて減圧される。そして、第３配管接続部１３を出た冷媒は第３室内熱交換部４０ｃに、第４配管接続部１４を出た冷媒は第４室内熱交換部４０ｄに入り、室内空気と熱交換して蒸発する。
【０１６３】
つまり、室内熱交換器４０内では、冷媒は、第２室内熱交換部４０ｂで室内空気と熱交換して凝縮し第３室内熱交換部４０ｃ及び第４室内熱交換部４０ｄで室内空気と熱交換器して蒸発する。第３室内熱交換部４０ｃおよび第４室内熱交換部４０ｄにおいて蒸発した低圧の冷媒は、四路切換弁２を通じて、再び、圧縮機５に吸入される。
【０１６４】
（７）第２実施形態の特徴
（７−１）
第２実施形態に係る流路切換弁５１を備えた空気調和機では、バイパス路６１から第１配管接続部１１に入った冷媒を第３配管接続部１３から第３熱交換部４０ｃへ流して室内熱交換器４０の使用容量を小さくすることができる。その結果、冷媒循環量が小さいときに、室内熱交換器４０の使用容量を小さくすることによって、冷媒が直ぐに蒸発することが抑制される。
【０１６５】
また、室内熱交換器４０の使用容量が小さくなったことによって蒸発圧力が下がり蒸発温度も下がるので、室内熱交換器４０全体への送風量が変わらず、冷媒を流す室内熱交換器４０の容量が小さくなり、吸い込み空気は顕熱が多く奪われることなく除湿される。
【０１６６】
（８）第２実施形態に係る流路切換弁５１を備えた第２の空気調和機
第２実施形態に係る流路切換弁５１を備えた空気調和機では、第１配管接続部１１にバイパス路６１が接続され、第２配管接続部１２に第２室内熱交換部４０ｂが接続されているが、これに限定されない。
【０１６７】
図６Ｂは第２実施形態に係る流路切換弁を備えた第２の空気調和機の構成図である。図６Ｂにおいて、第１配管接続部１１に第１熱交換部４０ａが接続され、第２配管接続部１２にバイパス路６１が接続されている。
【０１６８】
暖房運転、冷房運転、省エネ冷房運転、および再熱除湿運転における流路切換弁５１前後の冷媒の流れは、上記空気調和機と同じであるので、ここでは暖房運転、冷房運転、省エネ冷房運転、および再熱除湿運転における流路切換弁５１内の冷媒の流れのみ説明する。
【０１６９】
（８−１）暖房運転時の冷媒の流れ
（８−１−１）通常暖房Ａ
図９Ａは、図７Ａに対応する流路切換弁の冷媒経路図である。図９Ａ、図６Ｂ及び図７Ａにおいて、流路切換弁５１は第１通路２１が第１配管接続部１１に対峙する第１形態に切り換えられている。第３室内熱交換部４０ｃを出た冷媒は第３配管接続部１３、第４室内熱交換部４０ｄを出た冷媒は第４配管接続部１４を通って第２切換部１０２で合流し、第１通路２１を通って第１配管接続部１１に至る。そして、第１配管接続部１１を出た冷媒は第１室内熱交換部４０ａに入る。
【０１７０】
つまり、室内熱交換器４０内では、冷媒は、第３室内熱交換部４０ｃ、第４室内熱交換部４０ｄ及び第２室内熱交換部４０ｂを流れる間に室内空気と熱交換器して凝縮する。
【０１７１】
（８−１−２）通常暖房Ｂ
図９Ｂは、図７Ｂに対応する流路切換弁の冷媒経路図である。図９Ｂ、図６Ｂ及び図７Ｂにおいて、流路切換弁５１は第１通路２１が第２配管接続部１２に対峙する第１形態に切り換えられている。第３室内熱交換部４０ｃを出た冷媒は第３配管接続部１３、第４室内熱交換部４０ｄを出た冷媒は第４配管接続部１４を通って第２弁室１０２で合流し、第１通路２１を通って第２配管接続部１２に至る。そして、第２配管接続部１２を出た冷媒はバイパス６１に入る。
【０１７２】
つまり、室内熱交換器４０内では、冷媒は、第３室内熱交換部４０ｃ、及び第４室内熱交換部４０ｄを流れる間に室内空気と熱交換器して凝縮する。
【０１７３】
（８−１−３）通常暖房Ｃ
図９Ｃは、図７Ｃに対応する流路切換弁の冷媒経路図である。図９Ｃ、図６Ｂ及び図７Ｃにおいて、暖房運転時、流路切換弁５１は、第３通路２３が第１配管接続部１１および第３配管接続部１３に対峙する第２形態へ切り換えられている。それゆえ、第３室内熱交換部４０ｃを通過した冷媒は第３配管接続部１３から第３通路２３を通って第１配管接続部１１に至る。そして、第１配管接続部１１を出た冷媒は第１室内熱交換部４０ａに入る。
【０１７４】
つまり、室内熱交換器４０内では、冷媒は、第３室内熱交換部４０ｃ及び第１室内熱交換部４０ａで室内空気と熱交換器して凝縮する。
【０１７５】
（８−２）冷房運転時の冷媒の流れ
（８−２−１）通常冷房Ａ
図９Ａ、図６Ｂ及び図７Ａにおいて、通常の冷房運転時、流路切換弁５１は、第１通路２１が第１配管接続部１１に対峙する第１形態へ切り換えられている。第２配管接続部１２は閉じられているので、冷媒はバイパス路６１を流れることができない。
【０１７６】
また、第１室内熱交換部４０ａを出た冷媒は第１配管接続部１１から第１通路２１を通って第３配管接続部１３及び第４配管接続部１４に至る。そして、第３配管接続部１３を出た冷媒は第３室内熱交換部４０ｃに入る。第４配管接続部１４を出た冷媒は第４室内熱交換部４０ｄに入る。
【０１７７】
つまり、室内熱交換器４０内では、冷媒は、第１室内熱交換部４０ａ、第３室内熱交換部４０ｃ、及び第４室内熱交換部４０ｄを流れる間に室内空気と熱交換器して蒸発する。
【０１７８】
（８−２−２）通常冷房Ｂ
図９Ｂ、図６Ｂ及び図７Ｂにおいて、冷房運転時、流路切換弁５１は、第１通路２１が第２配管接続部１２に対峙する第１形態へ切り換えられている。第１配管接続部１１は閉じられているので、冷媒はバイパス路６１を流れる。
【０１７９】
また、バイパス６１を出た冷媒は第２配管接続部１２から第１通路２１を通って第３配管接続部１３及び第４配管接続部１４に至る。そして、第３配管接続部１３を出た冷媒は第３室内熱交換部４０ｃに入る。第４配管接続部１４を出た冷媒は第４室内熱交換部４０ｄに入る。
【０１８０】
つまり、室内熱交換器４０内では、冷媒は、第３室内熱交換部４０ｃ、及び第４室内熱交換部４０ｄを流れる間に室内空気と熱交換器して蒸発する。
【０１８１】
（８−２−３）通常冷房Ｃ
図９Ｃは、図７Ｃに対応する流路切換弁の冷媒経路図である。図９Ｃ、図６Ｂ及び図７Ｃにおいて、冷房運転時、流路切換弁５１は、第３通路２３が第１配管接続部１１および第３配管接続部１３に対峙する第２形態へ切り換えられている。それゆえ、第１室内熱交換部４０ａを通過した冷媒は第１配管接続部１１から第３通路２３を通って第３配管接続部１３に至る。そして、第３配管接続部１３を出た冷媒は第３室内熱交換部４０ｃに入る。
【０１８２】
つまり、室内熱交換器４０内では、冷媒は、第１室内熱交換部４０ａ及び第３室内熱交換部４０ｃで室内空気と熱交換器して蒸発する。
【０１８３】
（８−３）省エネ冷房運転時の冷媒の流れ
図９Ｄは、図７Ｄに対応する流路切換弁の冷媒経路図である。図９Ｄ、図６Ｂ及び図７Ｄにおいて、省エネ冷房運転時、流路切換弁５１は、第３通路２３が第２配管接続部１２および第４配管接続部１４に対峙する第２形態へ切り換えられている。それゆえ、バイパス路６１を通過した冷媒は第２配管接続部１２から第３通路２３を通って第４配管接続部１４に至る。そして、第４配管接続部１４を出た冷媒は第４室内熱交換部４０ｄに入る。
【０１８４】
つまり、室内熱交換器４０内では、冷媒は、第４室内熱交換部４０ｄでのみ室内空気と熱交換器して蒸発する。
【０１８５】
（８−４）再熱除湿運転時の冷媒の流れ
図９Ｅは、図７Ｅに対応する流路切換弁の冷媒経路図である。図９Ｅ、図６Ｂ及び図７Ｅにおいて、再熱除湿運転中、流路切換弁５１は、通路断面積の小さい第２通路２２が第１配管接続部１１と対峙する第１形態を成している。それゆえ、第１室内熱交換部４０ａを出た冷媒は、第１配管接続部１１から第２通路２２を通って第３配管接続部１３及び第４配管接続部１４に至る間に絞られて減圧される。そして、第３配管接続部１３を出た冷媒は第３室内熱交換部４０ｃに、第４配管接続部１４を出た冷媒は第４室内熱交換部４０ｄに入り、室内空気と熱交換して蒸発する。
【０１８６】
つまり、室内熱交換器４０内では、冷媒は、第１室内熱交換部４０ａで室内空気と熱交換して凝縮し第３室内熱交換部４０ｃ及び第４室内熱交換部４０ｄで室内空気と熱交換器して蒸発する。
【０１８７】
（９）第２実施形態に係る流路切換弁５１を備えた第３の空気調和機
上記第２実施形態に係る流路切換弁５１を備えた空気調和機および第２の空気調和機では、第１配管接続部１１及び第２配管接続部１２のいずれか一方にバイパス路が接続され、他方に熱交換部が接続されているが、これに限定されない。
【０１８８】
図１０Ａは、第２実施形態に係る流路切換弁５１を備えた第３の空気調和機の構成図である。図１０Ａにおいて、第３配管接続部１３に第１熱交換部４０ａが、第４配管接続部１４に第２室内熱交換部４０ｂが、第１配管接続部１１にバイパス路７１が、第２配管接続部１２に第４室内熱交換部４０ｄが接続されている。
【０１８９】
暖房運転、冷房運転、省エネ冷房運転、および再熱除湿運転における流路切換弁５１前後の冷媒の流れは、上記第２の空気調和機と同じであるので、ここでは暖房運転、冷房運転、省エネ冷房運転、および再熱除湿運転における流路切換弁５１内の冷媒の流れのみ説明する。
【０１９０】
（９−１）暖房運転時の冷媒の流れ
（９−１−１）通常暖房Ａ
流路切換弁５１は、第１通路２１が第２配管接続部１２に対峙する第１形態に切り換えられている（図７Ｂ、図９Ｂ参照）。第４室内熱交換部４０ｄを出た冷媒は第２配管接続部１２を通って第１切換部１０１に入り、第１通路２１を通って第２切換部１０２に至る。冷媒は、第２切換部１０２において第３配管接続部１３及び第４配管接続部１４それぞれに分流する。第３配管接続部１３を出た冷媒は第１室内熱交換部４０ａに入り、第４配管接続部１４を出た冷媒は第２室内熱交換部４０ｂに入る。
【０１９１】
つまり、室内熱交換器４０内では、冷媒は、第４室内熱交換部４０ｄ、第１室内熱交換部４０ａ及び第２室内熱交換部４０ｂを流れる間に室内空気と熱交換器して凝縮する。
【０１９２】
（９−１−２）通常暖房Ｂ
流路切換弁５１は、第１通路２１が第１配管接続部１１に対峙する第１形態に切り換えられている（図７Ａ、図９Ａ参照）。バイパス７１を出た冷媒は第１配管接続部１１を通って第１弁室１０１に入り、第１通路２１を通って第２弁室１０２に至る。冷媒は、第２弁室１０２において第３配管接続部１３及び第４配管接続部１４それぞれに分流する。第３配管接続部１３を出た冷媒は第１室内熱交換部４０ａに入り、第４配管接続部１４を出た冷媒は第２室内熱交換部４０ｂに入る。
【０１９３】
つまり、室内熱交換器４０内では、冷媒は、第１室内熱交換部４０ａ及び第２室内熱交換部４０ｂを流れる間に室内空気と熱交換器して凝縮する。
【０１９４】
（９−１−３）通常暖房Ｃ
流路切換弁５１は、第３通路２３が第２配管接続部１２および第４配管接続部１４に対峙する第２形態へ切り換えられている（図７Ｄ、図９Ｄ参照）。それゆえ、第４室内熱交換部４０ｄを通過した冷媒は第２配管接続部１２から第３通路２３を通って第４配管接続部１４に至る。そして、第４配管接続部１４を出た冷媒は第２室内熱交換部４０ｂに入る。
【０１９５】
つまり、室内熱交換器４０内では、冷媒は、第４室内熱交換部４０ｄと第２室内熱交換部４０ｂで室内空気と熱交換器して凝縮する。
【０１９６】
（９−２）冷房運転時の冷媒の流れ
（９−２−１）通常冷房Ａ
流路切換弁５１は、第１通路２１が第２配管接続部１２に対峙する第１形態に切り換えられている（図７Ｂ、図９Ｂ参照）。第１配管接続部１１は閉じられているので、冷媒はバイパス路７１を流れることができない。
【０１９７】
第１室内熱交換部４０ａを出て第３配管接続部１３に入った冷媒、及び第２室内熱交換部４０ｂを出て第４配管接続部に入った冷媒は、第２切換部１０２で合流し第１通路２１を通って第２配管接続部１２に至る。そして、第２配管接続部１２を出た冷媒は第４室内熱交換部４０ｄに入る。
【０１９８】
つまり、室内熱交換器４０内では、冷媒は、第１室内熱交換部４０ａ、第２室内熱交換部４０ｂ、及び第４室内熱交換部４０ｄを流れる間に室内空気と熱交換器して蒸発する。
【０１９９】
（９−２−２）通常冷房Ｂ
流路切換弁５１は、第１通路２１が第１配管接続部１１に対峙する第１形態に切り換えられている（図７Ａ、図９Ａ参照）。第２配管接続部１２は閉じられているので、冷媒はバイパス路７１を流れる。
【０２００】
第１室内熱交換部４０ａを出て第３配管接続部１３に入った冷媒、及び第２室内熱交換部４０ｂを出て第４配管接続部１４に入った冷媒は、第２弁室１０２で合流し第１通路２１を通って第１配管接続部１１に至る。そして、第１配管接続部１１を出た冷媒はバイパス７１に入る。
【０２０１】
つまり、室内熱交換器４０内では、冷媒は、第１室内熱交換部４０ａ、及び第２室内熱交換部４０ｂを流れる間に室内空気と熱交換器して蒸発する。
【０２０２】
（９−２−３）通常冷房Ｃ
冷房運転時、流路切換弁５１は、第３通路２３が第２配管接続部１２および第４配管接続部１４に対峙する第２形態へ切り換えられている（図７Ｄ、図９Ｄ参照）。それゆえ、第２室内熱交換部４０ｂを通過した冷媒は第４配管接続部１４から第３通路２３を通って第２配管接続部１２に至る。そして、第２配管接続部１２を出た冷媒は第４室内熱交換部４０ｄに入る。
【０２０３】
つまり、室内熱交換器４０内では、冷媒は、第２室内熱交換部４０ｂと第４室内熱交換部４０ｄで室内空気と熱交換器して蒸発する。
【０２０４】
（９−３）省エネ冷房運転時の冷媒の流れ
省エネ冷房運転時、流路切換弁５１は、第３通路２３が第１配管接続部１１および第３配管接続部１３に対峙する第２形態へ切り換えられている（図７Ｃ、図９Ｃ参照）。それゆえ、第１室内熱交換部４０ａを通過した冷媒は第３配管接続部１３から第３通路２３を通って第１配管接続部１１に至る。そして、第１配管接続部１１を出た冷媒はバイパス路７１に入る。
【０２０５】
つまり、室内熱交換器４０内では、冷媒は、第１室内熱交換部４０ａでのみ室内空気と熱交換器して蒸発する。
【０２０６】
（９−４）再熱除湿運転時の冷媒の流れ
再熱除湿運転中、流路切換弁５１は、通路断面積の小さい第２通路２２が第２配管接続部１２と対峙する第１形態を成している（図７Ｆ、図９Ｆ参照）。それゆえ、第１室内熱交換部４０ａを出て第３配管接続部１３に入った冷媒、および第２室内熱交換部４０ｂを出て第４配管接続部１４に入った冷媒は、第２切換部１０２で合流し、第２通路２２を通って第２配管接続部１２に至る間に絞られて減圧される。そして、第２配管接続部１２を出た冷媒は第４室内熱交換部４０ｄに入り、室内空気と熱交換して蒸発する。
【０２０７】
つまり、室内熱交換器４０内では、冷媒は、第１室内熱交換部４０ａ及び第２室内熱交換部４０ｂで室内空気と熱交換して凝縮し第４室内熱交換部４０ｄで室内空気と熱交換器して蒸発する。
【０２０８】
（１０）第２実施形態に係る流路切換弁５１を備えた第４の空気調和機
上記第２実施形態に係る流路切換弁５１を備えた第３の空気調和機では、第１配管接続部１１にバイパス路７１が接続され、第２配管接続部１２に第４室内熱交換部４０ｄが接続されているが、これに限定されない。
【０２０９】
図１０Ｂは第２実施形態に係る流路切換弁５１を備えた第４の空気調和機の構成図である。図１０Ｂにおいて、第１配管接続部１１に第３室内熱交換部４０ｃが接続され、第２配管接続部１２にバイパス路７１が接続されている。
【０２１０】
暖房運転、冷房運転、省エネ冷房運転、および再熱除湿運転における流路切換弁５１前後の冷媒の流れは、上記空気調和機と同じであるので、ここでは暖房運転、冷房運転、省エネ冷房運転、および再熱除湿運転における流路切換弁５１内の冷媒の流れのみ説明する。
【０２１１】
（１０−１）暖房運転時の冷媒の流れ
（１０−１−１）通常暖房Ａ
流路切換弁５１は、第１通路２１が第１配管接続部１１に対峙する第１形態に切り換えられている（図７Ａ、図９Ａ参照）。第３室内熱交換部４０ｃを出た冷媒は第１配管接続部１１を通って第１切換部１０１に入り、第１通路２１を通って第２切換部１０２に至る。冷媒は、第２切換部１０２において第３配管接続部１３及び第４配管接続部１４それぞれに分流する。第３配管接続部１３を出た冷媒は第１室内熱交換部４０ａに入り、第４配管接続部１４を出た冷媒は第２室内熱交換部４０ｂに入る。
【０２１２】
つまり、室内熱交換器４０内では、冷媒は、第３室内熱交換部４０ｃ、第１室内熱交換部４０ａ及び第２室内熱交換部４０ｂを流れる間に室内空気と熱交換器して凝縮する。
【０２１３】
（１０−１−２）通常暖房Ｂ
流路切換弁５１は、第１通路２１が第２配管接続部１２に対峙する第１形態に切り換えられている（図７Ｂ、図９Ｂ参照）。バイパス７１を出た冷媒は第２配管接続部１２を通って第１弁室１０１に入り、第１通路２１を通って第２弁室１０２に至る。冷媒は、第２弁室１０２において第３配管接続部１３及び第４配管接続部１４それぞれに分流する。第３配管接続部１３を出た冷媒は第１室内熱交換部４０ａに入り、第４配管接続部１４を出た冷媒は第２室内熱交換部４０ｂに入る。
【０２１４】
つまり、室内熱交換器４０内では、冷媒は、第１室内熱交換部４０ａ及び第２室内熱交換部４０ｂを流れる間に室内空気と熱交換器して凝縮する。
【０２１５】
（１０−１−３）通常暖房Ｃ
流路切換弁５１は、第３通路２３が第１配管接続部１１および第３配管接続部１３に対峙する第２形態へ切り換えられている（図７Ｃ、図９Ｃ参照）。それゆえ、第３室内熱交換部４０ｃを通過した冷媒は第１配管接続部１１から第３通路２３を通って第３配管接続部１３に至る。そして、第３配管接続部１３を出た冷媒は第１室内熱交換部４０ａに入る。
【０２１６】
つまり、室内熱交換器４０内では、冷媒は、第３室内熱交換部４０ｃ及び第１室内熱交換部４０ａで室内空気と熱交換器して凝縮する。
【０２１７】
（１０−２）冷房運転時の冷媒の流れ
（１０−２−１）通常冷房Ａ
流路切換弁５１は、第１通路２１が第１配管接続部１１に対峙する第１形態に切り換えられている（図７Ａ、図９Ａ参照）。第２配管接続部１２は閉じられているので、冷媒はバイパス路７１を流れることができない。
【０２１８】
第１室内熱交換部４０ａを出て第３配管接続部１３に入った冷媒、及び第２室内熱交換部４０ｂを出て第４配管接続部１４に入った冷媒は、第２切換部１０２で合流し第１通路２１を通って第１配管接続部１１に至る。そして、第１配管接続部１１を出た冷媒は第３室内熱交換部４０ｃに入る。
【０２１９】
つまり、室内熱交換器４０内では、第１室内熱交換部４０ａ、第２室内熱交換部４０ｂ、及び第３室内熱交換部４０ｃを流れる間に室内空気と熱交換器して蒸発する。
【０２２０】
（１０−２−２）通常冷房Ｂ
流路切換弁５１は、第１通路２１が第２配管接続部１２に対峙する第１形態に切り換えられている（図７Ｂ、図９Ｂ参照）。第１配管接続部１１は閉じられているので、冷媒はバイパス路７１を流れる。
【０２２１】
第１室内熱交換部４０ａを出て第３配管接続部１３に入った冷媒、及び第２室内熱交換部４０ｂを出て第４配管接続部１４に入った冷媒は、第２弁室１０２で合流し第１通路２１を通って第２配管接続部１２に至る。そして、第２配管接続部１２を出た冷媒はバイパス７１に入る。
【０２２２】
つまり、室内熱交換器４０内では、第１室内熱交換部４０ａ、及び第２室内熱交換部４０ｂを流れる間に室内空気と熱交換器して蒸発する。
【０２２３】
（１０−２−３）通常冷房Ｃ
流路切換弁５１は、第３通路２３が第１配管接続部１１および第３配管接続部１３に対峙する第２形態へ切り換えられている（図７Ｃ、図９Ｃ参照）。それゆえ、第１室内熱交換部４０ａを通過した冷媒は第３配管接続部１３から第３通路２３を通って第１配管接続部１１に至る。そして、第１配管接続部１１を出た冷媒は第３室内熱交換部４０ｃに入る。
【０２２４】
つまり、室内熱交換器４０内では、冷媒は、第１室内熱交換部４０ａ及び第３室内熱交換部４０ｃで室内空気と熱交換器して蒸発する。
【０２２５】
（１０−３）省エネ冷房運転時の冷媒の流れ
省エネ冷房運転時、流路切換弁５１は、第３通路２３が第２配管接続部１２および第４配管接続部１４に対峙する第２形態へ切り換えられている（図７Ｄ、図９Ｄ参照）。それゆえ、第２室内熱交換部４０ｂを通過した冷媒は第４配管接続部１４から第３通路２３を通って第２配管接続部１２に至る。そして、第２配管接続部１２を出た冷媒はバイパス路７１に入る。
【０２２６】
つまり、室内熱交換器４０内では、冷媒は、第２室内熱交換部４０ｂでのみ室内空気と熱交換器して蒸発する。
【０２２７】
（１０−４）再熱除湿運転時の冷媒の流れ
再熱除湿運転中、流路切換弁５１は、通路断面積の小さい第２通路２２が第１配管接続部１１と対峙する第１形態を成している（図７Ｅ、図９Ｅ参照）。それゆえ、第１室内熱交換部４０ａを出て第３配管接続部１３に入った冷媒、および第２室内熱交換部４０ｂを出て第４配管接続部１４に入った冷媒は、第２切換部１０２で合流し、第２通路２２を通って第１配管接続部１１に至る間に絞られて減圧される。そして、第１配管接続部１１を出た冷媒は第３室内熱交換部４０ｃに入り、室内空気と熱交換して蒸発する。
【０２２８】
つまり、室内熱交換器４０内では、冷媒は、第１室内熱交換部４０ａ及び第２室内熱交換部４０ｂで室内空気と熱交換して凝縮し第３室内熱交換部４０ｃで室内空気と熱交換器して蒸発する。
【０２２９】
（１１）第２実施形態に係る流路切換弁を備えた第３及び第４の空気調和機の特徴
（１１−１）
第２実施形態に係る流路切換弁５１を備えた第３及び第４の空気調和機では、室内熱交換器４０の使用容量が小さくなることによって、室内熱交換器４０全体への送風量が変わらず、冷媒を流す室内熱交換器４０の容量が小さくなるので、吸い込み空気は顕熱が多く奪われることなく除湿される。
【０２３０】
（１１−２）
また、第３配管接続部１３および第４配管接続部１４を流入口として、第１配管接続部１１または第２配管接続部１２を流出口として利用することによって、再熱除湿運転時、２つの凝縮器からの冷媒を減圧して、１つに蒸発器へ送る構成が可能となる。
【産業上の利用可能性】
【０２３１】
以上のように、本願発明によれば、流体のパス数の切換、およびバイパス回路等への切り換えが１つの流路切換弁によって行われるので空気調和装置に有用である。
【符号の説明】
【０２３２】
５  圧縮機
７  膨張弁（減圧器）
８  制御部
１０  本体
１１  第１配管接続部（第１流入口）
１２  第２配管接続部（第２流入口）
１３  第３配管接続部（第１流出口）
１４  第４配管接続部（第２流出口）
２０  弁体（可動体）
２１，２１ａ，２１ｂ  第１通路
２２，２２ａ，２２ｂ  第２通路
２３  第３通路
４０  室内熱交換器
４０ａ  第１室内熱交換部
４０ｂ  第２室内熱交換部
４０ｃ  第３室内熱交換部
４０ｄ  第４室内熱交換部
４１  第１室内熱交換部群
４２  第２室内熱交換部群
４６  室外熱交換器
５１  流路切換弁
６１  バイパス路
７１  バイパス路
１０１  第１切換部（第１弁機構部）
１０２  第２切換部（第２弁機構部）
【先行技術文献】
【特許文献】
【０２３３】
【特許文献１】特開２００３−１４８８３０号公報
【図１】
2012145318.tif 000003
【図２】
2012145318.tif 000004
【図３Ａ】
2012145318.tif 000005
【図３Ｂ】
2012145318.tif 000006
【図３Ｃ】
2012145318.tif 000007
【図３Ｄ】
2012145318.tif 000008
【図４Ａ】
2012145318.tif 000009
【図４Ｂ】
2012145318.tif 000010
【図４Ｃ】
2012145318.tif 000011
【図４Ｄ】
2012145318.tif 000012
【図５Ａ】
2012145318.tif 000013
【図５Ｂ】
2012145318.tif 000014
【図５Ｃ】
2012145318.tif 000015
【図６Ａ】
2012145318.tif 000016
【図６Ｂ】
2012145318.tif 000017
【図７Ａ】
2012145318.tif 000018
【図７Ｂ】
2012145318.tif 000019
【図７Ｃ】
2012145318.tif 000020
【図７Ｄ】
2012145318.tif 000021
【図７Ｅ】
2012145318.tif 000022
【図７Ｆ】
2012145318.tif 000023
【図８】
2012145318.tif 000024
【図９Ａ】
2012145318.tif 000025
【図９Ｂ】
2012145318.tif 000026
【図９Ｃ】
2012145318.tif 000027
【図９Ｄ】
2012145318.tif 000028
【図９Ｅ】
2012145318.tif 000029
【図９Ｆ】
2012145318.tif 000030
【図１０Ａ】
2012145318.tif 000031
【図１０Ｂ】
2012145318.tif 000032